(57)【要約】  本出願の実施例は、ランダムアクセスプロセスでより多くのビットを占用するパラメータおよび／またはより多くのパラメータを伝送することができる無線通信方法および機器を提供する。前記方法は、端末が、ネットワーク機器に第１メッセージを送信することであって、前記第１メッセージは、ランダムアクセスプロセスでのメッセージ３（ＭＳＧ３）であり、前記第１メッセージは第１パラメータの部分的な情報を搬送することと、前記端末が、前記第１メッセージに対して前記ネットワーク機器によって送信される応答メッセージを受信することであって、前記応答メッセージは、ランダムアクセスプロセスでのメッセージ４（ＭＳＧ４）であることとを含む。
2021528876.tif 000002
【特許請求の範囲】
【請求項１】
無線通信方法であって、
端末が、ネットワーク機器に第１メッセージを送信することであって、前記第１メッセージは、ランダムアクセスプロセスでのメッセージ３（ＭＳＧ３）であり、前記第１メッセージは第１パラメータの部分的な情報を搬送することと、
前記端末が、前記第１メッセージに対して前記ネットワーク機器によって送信される応答メッセージを受信することであって、前記応答メッセージは、ランダムアクセスプロセスでのメッセージ４（ＭＳＧ４）であることとを含むことを特徴とする、前記無線通信方法。
【請求項２】
前記方法は、
前記端末が、前記ネットワーク機器に第２メッセージを送信することであって、前記第２メッセージは前記第１パラメータの前記部分的な情報以外の残りの情報を搬送することをさらに含むことを特徴とする、
請求項１に記載の無線通信方法。
【請求項３】
前記第２メッセージは、ランダムアクセスプロセスでのメッセージ５（ＭＳＧ５）であることを特徴とする、
請求項２に記載の無線通信方法。
【請求項４】
前記第１パラメータは、
前記端末の識別情報であり、または前記端末が位置するネットワークスライスを指示するパラメータであり、またはＭＳＧ３で搬送される確立原因値であり、または非アクティブな無線ネットワーク一時識別子（Ｉ−ＲＮＴＩ）であることを特徴とする、
請求項１ないし３のいずれか一項に記載の無線通信方法。
【請求項５】
前記識別情報は、前記端末のシステムアーキテクチャエボリューション一時移動加入者識別子（Ｓ−ＴＭＳＩ）または５Ｇ−Ｓ−ＴＭＳＩであることを特徴とする、
請求項４に記載の無線通信方法。
【請求項６】
前記第１パラメータは、前記端末の識別情報であり、前記方法は、
前記端末が、前記応答メッセージで搬送される前記識別情報の前記部分的な情報に従って、前記応答メッセージは前記端末に対して送信される前記第１メッセージであると決定することをさらに含むことを特徴とする、
請求項４または５に記載の無線通信方法。
【請求項７】
前記第１パラメータは、前記端末の識別情報であり、前記第１メッセージで搬送される前記部分的な情報は、前記端末の識別情報での前記端末の非アクセス層（ＮＡＳ）メッセージのターゲットコアネットワーク機器の情報以外の情報であることを特徴とする、
請求項４ないし６のいずれか一項に記載の無線通信方法。
【請求項８】
前記識別情報に必要な総ビット数は、４８ビットであることを特徴とする、
請求項４ないし７のいずれか一項に記載の無線通信方法。
【請求項９】
前記第１パラメータは、前記端末の識別情報であり、前記第２メッセージで搬送される前記残りの情報は、前記端末によって送信されるＮＡＳメッセージのターゲットコアネットワーク機器を識別する情報であることを特徴とする、
請求項２または３に記載の無線通信方法。
【請求項１０】
前記第１メッセージは、第２パラメータの情報の一部または全部をさらに含むことを特徴とする、
請求項１ないし９のいずれか一項に記載の無線通信方法。
【請求項１１】
前記第２パラメータは、前記端末がアクセスしたネットワークスライスを指示するパラメータ、または前記ＭＳＧ３で搬送される確立原因値、またはＩ−ＲＮＴＩを含むことを特徴とする、
請求項１０に記載の無線通信方法。
【請求項１２】
前記確立原因値が占用するビットは、３ビットより大きく、および／または、
前記端末が位置するネットワークスライスを指示するパラメータが占用するビットは、２４ビットであることを特徴とする、
請求項１１に記載の無線通信方法。
【請求項１３】
前記第１メッセージは、無線リソース制御（ＲＲＣ）接続要求、またはＲＲＣ要求を指示するメッセージであることを特徴とする、
請求項１ないし１２のいずれか一項に記載の無線通信方法。
【請求項１４】
前記第２メッセージは、ＲＲＣ接続確立完了、ＲＲＣ接続再開完了、ＲＲＣ確立完了またはＲＲＣ再開完了を指示するメッセージであることを特徴とする、
請求項２または３に記載の無線通信方法。
【請求項１５】
前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器であることを特徴とする、
請求項１ないし１４のいずれか一項に記載の無線通信方法。
【請求項１６】
無線通信方法であって、
ネットワーク機器が、端末によって送信される第１メッセージを受信することであって、前記第１メッセージは、ランダムアクセスプロセスでのメッセージ３（ＭＳＧ３）であり、前記第１メッセージは第１パラメータの部分的な情報を搬送することと、
前記第１メッセージに対して、前記ネットワーク機器が、前記端末に応答メッセージを送信することであって、前記応答メッセージは、ランダムアクセスプロセスでのメッセージ４（ＭＳＧ４）であることとを含むことを特徴とする、前記無線通信方法。
【請求項１７】
前記方法は、
前記ネットワーク機器が、前記端末によって送信される第２メッセージを受信することであって、前記第２メッセージは前記第１パラメータの前記部分的な情報以外の残りの情報を搬送することをさらに含むことを特徴とする、
請求項１６に記載の無線通信方法。
【請求項１８】
前記第２メッセージは、ランダムアクセスプロセスでのメッセージ５（ＭＳＧ５）であることを特徴とする、
請求項１７に記載の無線通信方法。
【請求項１９】
前記第１パラメータは、
前記端末の識別情報であり、または前記端末が位置するネットワークスライスを指示するパラメータであり、またはＭＳＧ３で搬送される確立原因値であり、または非アクティブな無線ネットワーク一時識別子（Ｉ−ＲＮＴＩ）であることを特徴とする、
請求項１６ないし１８のいずれか一項に記載の無線通信方法。
【請求項２０】
前記識別情報は、前記端末のシステムアーキテクチャエボリューション一時移動加入者識別子（Ｓ−ＴＭＳＩ）または５Ｇ−Ｓ−ＴＭＳＩであることを特徴とする、
請求項１９に記載の無線通信方法。
【請求項２１】
前記第１パラメータは、前記端末の識別情報であり、前記応答メッセージで前記識別情報の前記部分的な情報が搬送されることを特徴とする、
請求項１９または２０に記載の無線通信方法。
【請求項２２】
前記第１パラメータは、前記端末の識別情報であり、前記第１メッセージで搬送される前記部分的な情報は、前記端末の識別情報での前記端末の非アクセス層（ＮＡＳ）メッセージのターゲットコアネットワーク機器の情報以外の情報であることを特徴とする、
請求項１９ないし２１のいずれか一項に記載の無線通信方法。
【請求項２３】
前記識別情報に必要な総ビット数は、４８ビットであることを特徴とする、
請求項１９ないし２２のいずれか一項に記載の無線通信方法。
【請求項２４】
前記第１パラメータは、前記端末の識別情報であり、前記第２メッセージで搬送される前記残りの情報は、前記端末によって送信されるＮＡＳメッセージのターゲットコアネットワーク機器を識別する情報であることを特徴とする、
請求項１７または１８に記載の無線通信方法。
【請求項２５】
前記第１メッセージは、第２パラメータの情報の一部または全部をさらに含むことを特徴とする、
請求項１６ないし２４のいずれか一項に記載の無線通信方法。
【請求項２６】
前記第２パラメータは、前記端末がアクセスしたネットワークスライスを指示するパラメータ、または前記ＭＳＧ３で搬送される確立原因値、またはＩ−ＲＮＴＩを含むことを特徴とする、
請求項２５に記載の無線通信方法。
【請求項２７】
前記確立原因値が占用するビットは、３ビットより大きく、および／または、
前記端末が位置するネットワークスライスを指示するパラメータが占用するビットは、２４ビットであることを特徴とする、
請求項２６に記載の無線通信方法。
【請求項２８】
前記第１メッセージは、無線リソース制御（ＲＲＣ）接続要求、またはＲＲＣ要求を指示するメッセージであることを特徴とする、
請求項１６ないし２７のいずれか一項に記載の無線通信方法。
【請求項２９】
前記第２メッセージは、ＲＲＣ接続確立完了、ＲＲＣ接続再開完了、ＲＲＣ確立完了またはＲＲＣ再開完了を指示するメッセージであることを特徴とする、
請求項１７または１８に記載の無線通信方法。
【請求項３０】
前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器であることを特徴とする、
請求項１６ないし２９のいずれか一項に記載の無線通信方法。
【請求項３１】
無線通信方法であって、
端末が、ネットワーク機器に第１メッセージを送信することであって、前記第１メッセージは、ランダムアクセスプロセスでのメッセージ３（ＭＳＧ３）であることと、
前記端末が、前記第１メッセージに対して前記ネットワーク機器によって送信される応答メッセージを受信することであって、前記応答メッセージは、ランダムアクセスプロセスでのメッセージ４（ＭＳＧ４）であることと、
前記端末は、前記ネットワーク機器に第２メッセージを送信することであって、前記第２メッセージは前記端末の識別情報を搬送し、前記第２メッセージは、ランダムアクセスプロセスでのメッセージ５（ＭＳＧ５）であることとを含むことを特徴とする、前記無線通信方法。
【請求項３２】
前記端末の識別情報は、前記端末のシステムアーキテクチャエボリューション一時移動加入者識別子（Ｓ−ＴＭＳＩ）または５Ｇ−Ｓ−ＴＭＳＩであることを特徴とする、
請求項３１に記載の無線通信方法。
【請求項３３】
前記第１メッセージは乱数を搬送することを特徴とする、
請求項３２に記載の無線通信方法。
【請求項３４】
前記乱数が占用するビット数は、前記識別情報が占用するビット数より小さいことを特徴とする、
請求項３３に記載の無線通信方法。
【請求項３５】
前記第１メッセージを送信する前に、前記識別情報が前記端末に記憶されることを特徴とする、
請求項３１ないし３４のいずれか一項に記載の無線通信方法。
【請求項３６】
前記第１メッセージは、前記端末がアクセスしたネットワークスライスを指示するパラメータ、または前記ＭＳＧ３で搬送される確立原因値、またはＩ−ＲＮＴＩのうちの少なくとも１つのパラメータを含むことを特徴とする、
請求項３１ないし３５のいずれか一項に記載の無線通信方法。
【請求項３７】
前記確立原因値が占用するビットは、３ビットより大きく、および／または、
前記端末が位置するネットワークスライスを指示するパラメータが占用するビットは、２４ビットであることを特徴とする、
請求項３６に記載の無線通信方法。
【請求項３８】
前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器であることを特徴とする、
請求項３１ないし３７のいずれか一項に記載の無線通信方法。
【請求項３９】
無線通信方法であって、
ネットワーク機器が、端末によって送信される第１メッセージを受信することであって、前記第１メッセージは、ランダムアクセスプロセスでのメッセージ３（ＭＳＧ３）であることと、
前記第１メッセージに対して、前記ネットワーク機器が、前記端末に応答メッセージを送信することであって、前記応答メッセージは、ランダムアクセスプロセスでのメッセージ４（ＭＳＧ４）であることと、
前記ネットワーク機器が、前記端末によって送信される第２メッセージを受信することであって、前記第２メッセージは前記端末の識別情報を搬送し、前記第２メッセージは、ランダムアクセスプロセスでのメッセージ５（ＭＳＧ５）であることとを含むことを特徴とする、前記無線通信方法。
【請求項４０】
前記端末の識別情報は、前記端末のシステムアーキテクチャエボリューション一時移動加入者識別子（Ｓ−ＴＭＳＩ）または５Ｇ−Ｓ−ＴＭＳＩであることを特徴とする、
請求項３９に記載の無線通信方法。
【請求項４１】
前記第１メッセージは乱数を搬送することを特徴とする、
請求項４０に記載の無線通信方法。
【請求項４２】
前記乱数が占用するビット数は、前記識別情報が占用するビット数より小さいことを特徴とする、
請求項４１に記載の無線通信方法。
【請求項４３】
前記第１メッセージは、前記端末がアクセスしたネットワークスライスを指示するパラメータ、または前記ＭＳＧ３で搬送される確立原因値、またはＩ−ＲＮＴＩのうちの少なくとも１つのパラメータを含むことを特徴とする、
請求項３９ないし４２のいずれか一項に記載の無線通信方法。
【請求項４４】
前記確立原因値が占用するビットは、３ビットより大きく、および／または、
前記端末が位置するネットワークスライスを指示するパラメータが占用するビットは、２４ビットであることを特徴とする、
請求項４３に記載の無線通信方法。
【請求項４５】
前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器であることを特徴とする、
請求項３９ないし４４のいずれか一項に記載の無線通信方法。
【請求項４６】
無線通信方法であって、
ランダムアクセスプロセスでのメッセージ３（ＭＳＧ３）に端末の識別情報を含めることができる場合、前記ＭＳＧ３で前記端末の識別情報を搬送することと、
前記端末は、前記識別情報が搬送されるＭＳＧ３をネットワーク機器に送信することとを含むことを特徴とする、前記無線通信方法。
【請求項４７】
前記識別情報は、前記端末の非アクティブな無線ネットワーク一時識別子（Ｉ−ＲＮＴＩ）であることを特徴とする、
請求項４６に記載の無線通信方法。
【請求項４８】
前記識別情報は、前記端末の再開識別子（ＲＥＳＵＭＥ  ＩＤ）であることを特徴とする、
請求項４６に記載の無線通信方法。
【請求項４９】
前記方法は、第１システムで使用されることであって、前記第１システムのアクセスネットワーク機器は、ロングタームエボリューション（ＬＴＥ）システムのアクセスネットワーク機器であり、前記第１システムのコアネットワーク機器は、５Ｇコアネットワーク（５ＧＣ）機器であることを特徴とする、
請求項４６ないし４８のいずれか一項に記載の無線通信方法。
【請求項５０】
前記端末の識別情報の長さは、第２システムのＭＳＧ３で搬送される端末の識別情報の長さより小さいことであって、前記第２システムのアクセスネットワーク機器は、ニューラジオ（ＮＲ）アクセスネットワーク機器であり、前記第２システムのコアネットワーク機器は、５ＧＣ機器であることを特徴とする、
請求項４９に記載の無線通信方法。
【請求項５１】
前記識別情報は、アクセスネットワーク機器の第１識別情報および前記端末が前記アクセスネットワーク機器内にあることを指示する第２識別情報を含むことであって、前記第１識別情報は、ＬＴＥアクセスネットワーク機器の識別情報であることを特徴とする、
請求項４９または５０に記載の無線通信方法。
【請求項５２】
前記識別情報が占用するビット数は、５２ビットより小さいことを特徴とする、
請求項４９ないし５１のいずれか一項に記載の無線通信方法。
【請求項５３】
前記方法は、第２システムで使用されることであって、前記第２システムのアクセスネットワーク機器は、ニューラジオ（ＮＲ）アクセスネットワーク機器であり、前記第２システムのコアネットワーク機器は、５ＧＣ機器であることを特徴とする、
請求項４６ないし４８のいずれか一項に記載の無線通信方法。
【請求項５４】
端末であって、
処理ユニットおよびトランシーバユニットを含み、
前記処理ユニットは、第１メッセージを生成するように構成され、前記第１メッセージは、ランダムアクセスプロセスでのメッセージ３（ＭＳＧ３）であり、前記第１メッセージは第１パラメータの部分的な情報を搬送し、
前記トランシーバユニットは、ネットワーク機器に第１メッセージを送信するように構成され、前記第１メッセージは、ランダムアクセスプロセスでのメッセージ３（ＭＳＧ３）であり、前記第１メッセージは第１パラメータの部分的な情報を搬送し、および前記第１メッセージに対して前記ネットワーク機器によって送信される応答メッセージを受信するように構成され、前記応答メッセージは、ランダムアクセスプロセスでのメッセージ４（ＭＳＧ４）であることを特徴とする、前記端末。
【請求項５５】
前記トランシーバユニットは、
前記ネットワーク機器に第２メッセージを送信するように構成され、前記第２メッセージは前記第１パラメータの前記部分的な情報以外の残りの情報を搬送することを特徴とする、
請求項５４に記載の端末。
【請求項５６】
前記第２メッセージは、ランダムアクセスプロセスでのメッセージ５（ＭＳＧ５）であることを特徴とする、
請求項５５に記載の端末。
【請求項５７】
前記第１パラメータは、
前記端末の識別情報であり、または前記端末が位置するネットワークスライスを指示するパラメータであり、またはＭＳＧ３で搬送される確立原因値であり、または非アクティブな無線ネットワーク一時識別子（Ｉ−ＲＮＴＩ）であることを特徴とする、
請求項５４ないし５６のいずれか一項に記載の端末。
【請求項５８】
前記識別情報は、前記端末のシステムアーキテクチャエボリューション一時移動加入者識別子（Ｓ−ＴＭＳＩ）または５Ｇ−Ｓ−ＴＭＳＩであることを特徴とする、
請求項５７に記載の端末。
【請求項５９】
前記第１パラメータは、前記端末の識別情報であり、前記処理ユニットは、さらに、
前記応答メッセージで搬送される前記識別情報の前記部分的な情報に従って、前記応答メッセージは前記端末に対して送信される前記第１メッセージであると決定するように構成されることを特徴とする、
請求項５７または５８に記載の端末。
【請求項６０】
前記第１パラメータは、前記端末の識別情報であり、前記第１メッセージで搬送される前記部分的な情報は、前記端末の識別情報での前記端末の非アクセス層（ＮＡＳ）メッセージのターゲットコアネットワーク機器の情報以外の情報であることを特徴とする、
請求項５７ないし５９のいずれか一項に記載の端末。
【請求項６１】
前記識別情報に必要な総ビット数は、４８ビットであることを特徴とする、
請求項５７ないし６０のいずれか一項に記載の端末。
【請求項６２】
前記第１パラメータは、前記端末の識別情報であり、前記第２メッセージで搬送される前記残りの情報は、前記端末によって送信されるＮＡＳメッセージのターゲットコアネットワーク機器を識別する情報であることを特徴とする、
請求項５５または５６に記載の端末。
【請求項６３】
前記第１メッセージは、第２パラメータの情報の一部または全部をさらに含むことを特徴とする、
請求項５４ないし６１のいずれか一項に記載の端末。
【請求項６４】
前記第２パラメータは、前記端末がアクセスしたネットワークスライスを指示するパラメータ、または前記ＭＳＧ３で搬送される確立原因値、またはＩ−ＲＮＴＩを含むことを特徴とする、
請求項６３に記載の端末。
【請求項６５】
前記確立原因値が占用するビットは、３ビットより大きく、および／または、
前記端末が位置するネットワークスライスを指示するパラメータが占用するビットは、２４ビットであることを特徴とする、
請求項６４に記載の端末。
【請求項６６】
前記第１メッセージは、無線リソース制御（ＲＲＣ）接続要求、またはＲＲＣ要求を指示するメッセージであることを特徴とする、
請求項５４ないし６５のいずれか一項に記載の端末。
【請求項６７】
前記第２メッセージは、ＲＲＣ接続確立完了、ＲＲＣ接続再開完了、ＲＲＣ確立完了またはＲＲＣ再開完了を指示するメッセージであることを特徴とする、
請求項５５または５６に記載の端末。
【請求項６８】
前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器であることを特徴とする、
請求項５４ないし６７のいずれか一項に記載の端末。
【請求項６９】
ネットワーク機器であって、
トランシーバユニットおよび処理ユニットを含み、
前記トランシーバユニットは、端末によって送信される第１メッセージを受信するように構成され、前記第１メッセージは、ランダムアクセスプロセスでのメッセージ３（ＭＳＧ３）であり、前記第１メッセージは第１パラメータの部分的な情報を搬送し、
前記処理ユニットは、前記第１メッセージに対して応答メッセージを生成するように構成され、前記応答メッセージは、ランダムアクセスプロセスでのメッセージ４（ＭＳＧ４）であり、
前記トランシーバユニットは、さらに、前記端末に前記応答メッセージを送信するように構成されることを特徴とする、前記ネットワーク機器。
【請求項７０】
前記トランシーバユニットは、さらに、
前記端末によって送信される第２メッセージを受信するように構成され、前記第２メッセージは前記第１パラメータの前記部分的な情報以外の残りの情報を搬送することを特徴とする、
請求項６９に記載のネットワーク機器。
【請求項７１】
前記第２メッセージは、ランダムアクセスプロセスでのメッセージ５（ＭＳＧ５）であることを特徴とする、
請求項７０に記載のネットワーク機器。
【請求項７２】
前記第１パラメータは、
前記端末の識別情報であり、または前記端末が位置するネットワークスライスを指示するパラメータであり、またはＭＳＧ３で搬送される確立原因値であり、または非アクティブな無線ネットワーク一時識別子（Ｉ−ＲＮＴＩ）であることを特徴とする、
請求項６９ないし７１のいずれか一項に記載のネットワーク機器。
【請求項７３】
前記識別情報は、前記端末のシステムアーキテクチャエボリューション一時移動加入者識別子（Ｓ−ＴＭＳＩ）または５Ｇ−Ｓ−ＴＭＳＩであることを特徴とする、
請求項７２に記載のネットワーク機器。
【請求項７４】
前記第１パラメータは、前記端末の識別情報であり、前記識別情報の前記部分的な情報が前記応答メッセージで搬送されることを特徴とする、
請求項７２または７３に記載のネットワーク機器。
【請求項７５】
前記第１パラメータは、前記端末の識別情報であり、前記第１メッセージで搬送される前記部分的な情報は、前記端末の識別情報での前記端末の非アクセス層（ＮＡＳ）メッセージのターゲットコアネットワーク機器の情報以外の情報であることを特徴とする、
請求項７２ないし７４のいずれか一項に記載のネットワーク機器。
【請求項７６】
前記識別情報に必要な総ビット数は、４８ビットであることを特徴とする、
請求項７２ないし７５のいずれか一項に記載のネットワーク機器。
【請求項７７】
前記第１パラメータは、前記端末の識別情報であり、前記第２メッセージで搬送される前記残りの情報は、前記端末によって送信されるＮＡＳメッセージのターゲットコアネットワーク機器を識別する情報であることを特徴とする、
請求項７０または７１に記載のネットワーク機器。
【請求項７８】
前記第１メッセージは、第２パラメータの情報の一部または全部をさらに含むことを特徴とする、
請求項６９ないし７６のいずれか一項に記載のネットワーク機器。
【請求項７９】
前記第２パラメータは、前記端末がアクセスしたネットワークスライスを指示するパラメータ、または前記ＭＳＧ３で搬送される確立原因値、またはＩ−ＲＮＴＩを含むことを特徴とする、
請求項７８に記載のネットワーク機器。
【請求項８０】
前記確立原因値が占用するビットは、３ビットより大きく、および／または、
前記端末が位置するネットワークスライスを指示するパラメータが占用するビットは、２４ビットであることを特徴とする、
請求項７９に記載のネットワーク機器。
【請求項８１】
前記第１メッセージは、無線リソース制御（ＲＲＣ）接続要求、またはＲＲＣ要求を指示するメッセージであることを特徴とする、
請求項６９ないし８０のいずれか一項に記載のネットワーク機器。
【請求項８２】
前記第２メッセージは、ＲＲＣ接続確立完了、ＲＲＣ接続再開完了、ＲＲＣ確立完了またはＲＲＣ再開完了を指示するメッセージであることを特徴とする、
請求項７０または７１に記載のネットワーク機器。
【請求項８３】
前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器であることを特徴とする、
請求項６９ないし８２のいずれか一項に記載のネットワーク機器。
【請求項８４】
端末であって、
処理ユニットおよびトランシーバユニットを含み、
前記処理ユニットは、第１メッセージを生成するように構成され、前記第１メッセージは、ランダムアクセスプロセスでのメッセージ３（ＭＳＧ３）であり、
前記トランシーバユニットは、前記第１メッセージを送信し、および前記第１メッセージに対してネットワーク機器によって送信される応答メッセージを受信するように構成され、前記応答メッセージは、ランダムアクセスプロセスでのメッセージ４（ＭＳＧ４）であり、
前記処理ユニットは、さらに、第２メッセージを生成するように構成され、前記第２メッセージは前記端末の識別情報を搬送し、前記第２メッセージは、ランダムアクセスプロセスでのメッセージ５（ＭＳＧ５）であり、
前記トランシーバユニットは、さらに、前記ネットワーク機器に第２メッセージを送信するように構成され、前記第２メッセージは前記端末の識別情報を搬送し、前記第２メッセージは、ランダムアクセスプロセスでのメッセージ５（ＭＳＧ５）であることを特徴とする、前記端末。
【請求項８５】
前記端末の識別情報は、前記端末のシステムアーキテクチャエボリューション一時移動加入者識別子（Ｓ−ＴＭＳＩ）または５Ｇ−Ｓ−ＴＭＳＩであることを特徴とする、
請求項８４に記載の端末。
【請求項８６】
前記第１メッセージは乱数を搬送することを特徴とする、
請求項８５に記載の端末。
【請求項８７】
前記乱数が占用するビット数は、前記識別情報が占用するビット数より小さいことを特徴とする、
請求項８６に記載の端末。
【請求項８８】
前記第１メッセージを送信する前に、前記識別情報が前記端末に記憶されることを特徴とする、
請求項８４ないし８７のいずれか一項に記載の端末。
【請求項８９】
前記第１メッセージは、前記端末がアクセスしたネットワークスライスを指示するパラメータ、または前記ＭＳＧ３で搬送される確立原因値、またはＩ−ＲＮＴＩのうちの少なくとも１つのパラメータを含むことを特徴とする、
請求項８４ないし８８のいずれか一項に記載の端末。
【請求項９０】
前記確立原因値が占用するビットは、３ビットより大きく、および／または、
前記端末が位置するネットワークスライスを指示するパラメータが占用するビットは、２４ビットであることを特徴とする、
請求項８９に記載の端末。
【請求項９１】
ネットワーク機器であって、
トランシーバユニットおよび処理ユニットを含み、
前記トランシーバユニットは、端末によって送信される第１メッセージを受信するように構成され、前記第１メッセージは、ランダムアクセスプロセスでのメッセージ３（ＭＳＧ３）であり、
前記処理ユニットは、前記第１メッセージに対して応答メッセージを生成するように構成され、前記応答メッセージは、ランダムアクセスプロセスでのメッセージ４（ＭＳＧ４）であり、
前記トランシーバユニットは、さらに、前記端末に前記応答メッセージを送信し、および前記端末によって送信される第２メッセージを受信するように構成され、前記第２メッセージは前記端末の識別情報を搬送し、前記第２メッセージは、ランダムアクセスプロセスでのメッセージ５（ＭＳＧ５）であることを特徴とする、前記ネットワーク機器。
【請求項９２】
前記端末の識別情報は、前記端末のシステムアーキテクチャエボリューション一時移動加入者識別子（Ｓ−ＴＭＳＩ）または５Ｇ−Ｓ−ＴＭＳＩであることを特徴とする、
請求項９１に記載のネットワーク機器。
【請求項９３】
前記第１メッセージは乱数を搬送することを特徴とする、
請求項９２に記載のネットワーク機器。
【請求項９４】
前記乱数が占用するビット数は、前記識別情報が占用するビット数より小さいことを特徴とする、
請求項９３に記載のネットワーク機器。
【請求項９５】
前記第１メッセージは、前記端末がアクセスしたネットワークスライスを指示するパラメータ、または前記ＭＳＧ３で搬送される確立原因値、またはＩ−ＲＮＴＩのうちの少なくとも１つのパラメータを含むことを特徴とする、
請求項９１ないし９４のいずれか一項に記載の端末。
【請求項９６】
前記確立原因値が占用するビットは、３ビットより大きく、および／または、
前記端末が位置するネットワークスライスを指示するパラメータが占用するビットは、２４ビットであることを特徴とする、
請求項９５に記載のネットワーク機器。
【請求項９７】
端末であって、
トランシーバユニットおよび処理ユニットを含み、
前記処理ユニットは、ランダムアクセスプロセスでのメッセージ３（ＭＳＧ３）に端末の識別情報を含めることができる場合、前記ＭＳＧ３で前記端末の識別情報を搬送するように構成され、
前記トランシーバユニットは、前記識別情報が搬送されるＭＳＧ３をネットワーク機器に送信するように構成されることを特徴とする、前記端末。
【請求項９８】
前記識別情報は、前記端末の非アクティブな無線ネットワーク一時識別子（Ｉ−ＲＮＴＩ）であることを特徴とする、
請求項９７に記載の端末。
【請求項９９】
前記識別情報は、前記端末の再開識別子（ＲＥＳＵＭＥ  ＩＤ）であることを特徴とする、
請求項９７に記載の端末。
【請求項１００】
前記端末は、第１システムで使用されるように構成され、前記第１システムのアクセスネットワーク機器は、ロングタームエボリューション（ＬＴＥ）システムのアクセスネットワーク機器であり、前記第１システムのコアネットワーク機器は、５Ｇコアネットワーク（５ＧＣ）機器であることを特徴とする、
請求項９７ないし９９のいずれか一項に記載の端末。
【請求項１０１】
前記端末の識別情報の長さは、第２システムのＭＳＧ３で搬送される端末の識別情報の長さより短く、前記第２システムのアクセスネットワーク機器は、ニューラジオ（ＮＲ）アクセスネットワーク機器であり、前記第２システムのコアネットワーク機器は、５ＧＣ機器であることを特徴とする、
請求項１００に記載の端末。
【請求項１０２】
前記識別情報は、アクセスネットワーク機器の第１識別情報および前記端末が前記アクセスネットワーク機器内にあることを指示する第２識別情報を含み、前記第１識別情報は、ＬＴＥアクセスネットワーク機器の識別情報であることを特徴とする、
請求項１００または１０１に記載の端末。
【請求項１０３】
前記識別情報が占用するビット数は、５２ビットより小さいことを特徴とする、
請求項１００ないし１０２のいずれか一項に記載の端末。
【請求項１０４】
前記端末は、第２システムで使用されるように構成され、前記第２システムのアクセスネットワーク機器は、ニューラジオ（ＮＲ）アクセスネットワーク機器であり、前記第２システムのコアネットワーク機器は、５ＧＣ機器であることを特徴とする、
請求項９７ないし９９のいずれか一項に記載の端末。
【請求項１０５】
システムであって、
端末およびネットワーク機器を含み、
前記端末が、ネットワーク機器に第１メッセージを送信し、前記第１メッセージは、ランダムアクセスプロセスでのメッセージ３（ＭＳＧ３）であり、前記第１メッセージは第１パラメータの部分的な情報を搬送し、前記第１メッセージに対して前記ネットワーク機器によって送信される応答メッセージを受信するように構成され、前記応答メッセージは、ランダムアクセスプロセスでのメッセージ４（ＭＳＧ４）であり、
前記ネットワーク機器は、端末によって送信される第１メッセージを受信し、前記第１メッセージは、ランダムアクセスプロセスでのメッセージ３（ＭＳＧ３）であり、前記第１メッセージは第１パラメータの部分的な情報を搬送し、前記第１メッセージに対して前記ネットワーク機器によって前記端末に送信される応答メッセージを受信するように構成され、前記応答メッセージは、ランダムアクセスプロセスでのメッセージ４（ＭＳＧ４）であことを特徴とする、前記システム。
【請求項１０６】
システムであって、
端末およびネットワーク機器を含み、
前記端末が、ネットワーク機器に第１メッセージを送信し、前記第１メッセージは、ランダムアクセスプロセスでのメッセージ３（ＭＳＧ３）であり、前記第１メッセージに対して前記ネットワーク機器によって送信される応答メッセージを受信し、前記応答メッセージは、ランダムアクセスプロセスでのメッセージ４（ＭＳＧ４）であり、前記ネットワーク機器に第２メッセージを送信するように構成され、前記第２メッセージは前記端末の識別情報を搬送し、前記第２メッセージは、ランダムアクセスプロセスでのメッセージ５（ＭＳＧ５）であり、
前記ネットワーク機器は、端末によって送信される第１メッセージを受信し、前記第１メッセージは、ランダムアクセスプロセスでのメッセージ３（ＭＳＧ３）であり、前記第１メッセージに対して前記端末に応答メッセージを送信するように構成され、前記応答メッセージは、ランダムアクセスプロセスでのメッセージ４（ＭＳＧ４）であり、前記ネットワーク機器が、前記端末によって送信される第２メッセージを受信するように構成され、前記第２メッセージは前記端末の識別情報を搬送し、前記第２メッセージは、ランダムアクセスプロセスでのメッセージ５（ＭＳＧ５）であることを特徴とする、前記システム。
【請求項１０７】
チップであって、
前記チップを搭載した機器が請求項１ないし５３のいずれか一項に記載の方法を実行するように、メモリからコンピュータプログラムを呼び出して実行するように構成されるプロセッサを含むことを特徴とする、前記チップ。
【請求項１０８】
通信機器であって、
プロセッサおよびメモリを含み、
前記メモリは、コンピュータプログラムを記憶するように構成され、前記プロセッサは、前記メモリに記憶されたコンピュータプログラムを呼び出して実行して、請求項１から５３のいずれか一項に記載の方法を実行するように構成されることを特徴とする、前記通信機器。
【請求項１０９】
コンピュータ読み取り可能な記憶媒体であって、コンピュータに請求項１ないし５３のいずれか一項に記載の方法を実行させるコンピュータプログラムを記憶するように構成されることを特徴とする、前記コンピュータ読み取り可能な記憶媒体。
【発明の詳細な説明】
【技術分野】
【０００１】
本出願は、２０１８年４月６日に中国特許局に提出された、出願番号がＰＣＴ／ＣＮ２０１８／０８２０９９であり、発明の名称が「無線通信方法、端末およびネットワーク機器」であるＰＣＴ特許出願の優先権を主張し、当該中国特許出願の全ての内容が参照によって本願に組み込まれる。
【０００２】
本出願は、通信分野に関し、より具体的に、無線通信方法、端末およびネットワーク機器に関する。
【背景技術】
【０００３】
ロングタームエボリューション（ＬＴＥ：Ｌｏｎｇ  Ｔｅｒｍ  Ｅｖｏｌｕｔｉｏｎ）システムでは、端末のランダムアクセスプロセスにおいて、端末は、ランダムアクセスプロセスのメッセージ３（ＭＳＧ３）で端末の識別情報をネットワーク機器に送信することができる。
【０００４】
通信システムの発展に伴い、ランダムアクセスプロセスでは、端末によってネットワーク機器に送信される識別情報またはその他のパラメータは、より多くのビットを占用する必要があり、またはランダムアクセスプロセスでより多くのパラメータを送信する必要があるため、どのようにこの問題を解決するかが緊急の課題である。
【発明の概要】
【発明が解決しようとする課題】
【０００５】
本出願の実施例は、ランダムアクセスプロセス中により多くのビットを占用するパラメータおよび／またはより多くのパラメータを伝送することができる無線通信方法および機器を提供する。
【課題を解決するための手段】
【０００６】
第１態様において、無線通信方法を提供し、前記方法は、端末が、ネットワーク機器に第１メッセージを送信することであって、前記第１メッセージは、ランダムアクセスプロセスでのメッセージ３（ＭＳＧ３）であり、前記第１メッセージは第１パラメータの部分的な情報を搬送することと、
前記端末が、前記第１メッセージに対して前記ネットワーク機器によって送信される応答メッセージを受信することであって、前記応答メッセージは、ランダムアクセスプロセスでのメッセージ４（ＭＳＧ４）であることとを含む。
【０００７】
第１態様を参照すると、第１態様の可能な実現形態において、前記方法は、
前記端末が、前記ネットワーク機器に第２メッセージを送信することであって、前記第２メッセージは前記第１パラメータの前記部分的な情報以外の残りの情報を搬送することをさらに含む。
【０００８】
第１態様または上記のいずれか１つの可能な実現形態を参照すると、第１態様の別の可能な実現形態において、前記第２メッセージは、ランダムアクセスプロセスでのメッセージ５（ＭＳＧ５）である。
【０００９】
第１態様または上記のいずれか１つの可能な実現形態を参照すると、第１態様の別の可能な実現形態において、前記第１パラメータは、
前記端末の識別情報であり、または前記端末が位置するネットワークスライスを指示するパラメータであり、またはＭＳＧ３で搬送される確立原因値であり、または非アクティブな無線ネットワーク一時識別子（Ｉ−ＲＮＴＩ）である。
【００１０】
第１態様または上記のいずれか１つの可能な実現形態を参照すると、第１態様の別の可能な実現形態において、前記識別情報は、前記端末のシステムアーキテクチャエボリューション一時移動加入者識別子（Ｓ−ＴＭＳＩ）または５Ｇ−Ｓ−ＴＭＳＩである。
【００１１】
第１態様または上記のいずれか１つの可能な実現形態を参照すると、第１態様の別の可能な実現形態において、前記第１パラメータは、前記端末の識別情報であり、前記方法は、
前記端末が、前記応答メッセージで搬送される前記識別情報の前記部分的な情報に従って、前記応答メッセージは前記端末に対して送信される前記第１メッセージであると決定することをさらに含む。
【００１２】
第１態様または上記のいずれか１つの可能な実現形態を参照すると、第１態様の別の可能な実現形態において、前記第１パラメータは、前記端末の識別情報であり、前記第１メッセージで搬送される前記部分的な情報は、前記端末の識別情報での前記端末の非アクセス層（ＮＡＳ）メッセージのターゲットコアネットワーク機器の情報以外の情報である。
【００１３】
第１態様または上記のいずれか１つの可能な実現形態を参照すると、第１態様の別の可能な実現形態において、前記識別情報に必要な総ビット数は、４８ビットである。
【００１４】
第１態様または上記のいずれか１つの可能な実現形態を参照すると、第１態様の別の可能な実現形態において、前記第１パラメータは、前記端末の識別情報であり、前記第２メッセージで搬送される前記残りの情報は、前記端末によって送信されるＮＡＳメッセージのターゲットコアネットワーク機器を識別する情報である。
【００１５】
第１態様または上記のいずれか１つの可能な実現形態を参照すると、第１態様の別の可能な実現形態において、前記第１メッセージは、第２パラメータの情報の一部または全部をさらに含む。
【００１６】
第１態様または上記のいずれか１つの可能な実現形態を参照すると、第１態様の別の可能な実現形態において、前記第２パラメータは、前記端末がアクセスしたネットワークスライスを指示するパラメータ、または前記ＭＳＧ３で搬送される確立原因値、またはＩ−ＲＮＴＩを含む。
【００１７】
第１態様または上記のいずれか１つの可能な実現形態を参照すると、第１態様の別の可能な実現形態において、前記確立原因値が占用するビットは、３ビットより大きく、および／または、
前記端末が位置するネットワークスライスを指示するパラメータが占用するビットは、２４ビットである。
【００１８】
第１態様または上記のいずれか１つの可能な実現形態を参照すると、第１態様の別の可能な実現形態において、前記第１メッセージは、無線リソース制御（ＲＲＣ）接続要求、またはＲＲＣ要求を指示するメッセージである。
【００１９】
第１態様または上記のいずれか１つの可能な実現形態を参照すると、第１態様の別の可能な実現形態において、前記第２メッセージは、ＲＲＣ接続確立完了、ＲＲＣ接続再開完了、ＲＲＣ確立完了またはＲＲＣ再開完了を指示するメッセージである。
【００２０】
第１態様または上記のいずれか１つの可能な実現形態を参照すると、第１態様の別の可能な実現形態において、前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器である。
【００２１】
第２態様において、無線通信方法を提供し、前記方法は、
ネットワーク機器が、端末によって送信される第１メッセージを受信することであって、前記第１メッセージは、ランダムアクセスプロセスでのメッセージ３（ＭＳＧ３）であり、前記第１メッセージは第１パラメータの部分的な情報を搬送することと、
前記第１メッセージに対して、前記ネットワーク機器が、前記端末に応答メッセージを送信することであって、前記応答メッセージは、ランダムアクセスプロセスでのメッセージ４（ＭＳＧ４）であることとを含む。
【００２２】
第２態様を参照すると、第２態様の可能な実現形態において、前記方法は、
前記ネットワーク機器が、前記端末によって送信される第２メッセージを受信することであって、前記第２メッセージは前記第１パラメータの前記部分的な情報以外の残りの情報を搬送することをさらに含む。
【００２３】
第２態様または上記のいずれか１つの可能な実現形態を参照すると、第２態様の別の可能な実現形態において、前記第２メッセージは、ランダムアクセスプロセスでのメッセージ５（ＭＳＧ５）である。
【００２４】
第２態様または上記のいずれか１つの可能な実現形態を参照すると、第２態様の別の可能な実現形態において、前記第１パラメータは、
前記端末の識別情報であり、または前記端末が位置するネットワークスライスを指示するパラメータであり、またはＭＳＧ３で搬送される確立原因値であり、または非アクティブな無線ネットワーク一時識別子（Ｉ−ＲＮＴＩ）である。
【００２５】
第２態様または上記のいずれか１つの可能な実現形態を参照すると、第２態様の別の可能な実現形態において、前記識別情報は、前記端末のシステムアーキテクチャエボリューション一時移動加入者識別子（Ｓ−ＴＭＳＩ）または５Ｇ−Ｓ−ＴＭＳＩである。
【００２６】
第２態様または上記のいずれか１つの可能な実現形態を参照すると、第２態様の別の可能な実現形態において、前記第１パラメータは、前記端末の識別情報であり、前記応答メッセージで前記識別情報の前記部分的な情報が搬送される。
【００２７】
第２態様または上記のいずれか１つの可能な実現形態を参照すると、第２態様の別の可能な実現形態において、前記第１パラメータは、前記端末の識別情報であり、前記第１メッセージで搬送される前記部分的な情報は、前記端末の識別情報での前記端末の非アクセス層（ＮＡＳ）メッセージのターゲットコアネットワーク機器の情報以外の情報である。
【００２８】
第２態様または上記のいずれか１つの可能な実現形態を参照すると、第２態様の別の可能な実現形態において、前記識別情報に必要な総ビット数は、４８ビットである。
【００２９】
第２態様または上記のいずれか１つの可能な実現形態を参照すると、第２態様の別の可能な実現形態において、前記第１パラメータは、前記端末の識別情報であり、前記第２メッセージで搬送される前記残りの情報は、前記端末によって送信されるＮＡＳメッセージのターゲットコアネットワーク機器を識別する情報である。
【００３０】
第２態様または上記のいずれか１つの可能な実現形態を参照すると、第２態様の別の可能な実現形態において、前記第１メッセージは、第２パラメータの情報の一部または全部をさらに含む。
【００３１】
第２態様または上記のいずれか１つの可能な実現形態を参照すると、第２態様の別の可能な実現形態において、前記第２パラメータは、前記端末がアクセスしたネットワークスライスを指示するパラメータ、または前記ＭＳＧ３で搬送される確立原因値、またはＩ−ＲＮＴＩを含む。
【００３２】
第２態様または上記のいずれか１つの可能な実現形態を参照すると、第２態様の別の可能な実現形態において、前記確立原因値が占用するビットは、３ビットより大きく、および／または、
前記端末が位置するネットワークスライスを指示するパラメータが占用するビットは、２４ビットである。
【００３３】
第２態様または上記のいずれか１つの可能な実現形態を参照すると、第２態様の別の可能な実現形態において、前記第１メッセージは、無線リソース制御（ＲＲＣ）接続要求、またはＲＲＣ要求を指示するメッセージである。
【００３４】
第２態様または上記のいずれか１つの可能な実現形態を参照すると、第２態様の別の可能な実現形態において、前記第２メッセージは、ＲＲＣ接続確立完了、ＲＲＣ接続再開完了、ＲＲＣ確立完了またはＲＲＣ再開完了を指示するメッセージである。
【００３５】
第２態様または上記のいずれか１つの可能な実現形態を参照すると、第２態様の別の可能な実現形態において、前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器である。
【００３６】
第３態様において、無線通信方法を提供し、前記方法は、
端末が、ネットワーク機器に第１メッセージを送信することであって、前記第１メッセージは、ランダムアクセスプロセスでのメッセージ３（ＭＳＧ３）であることと、
前記端末が、前記第１メッセージに対して前記ネットワーク機器によって送信される応答メッセージを受信することであって、前記応答メッセージは、ランダムアクセスプロセスでのメッセージ４（ＭＳＧ４）であることと、
前記端末が、前記ネットワーク機器に第２メッセージを送信することであって、前記第２メッセージは前記端末の識別情報を搬送し、前記第２メッセージは、ランダムアクセスプロセスでのメッセージ５（ＭＳＧ５）であることとを含む。
【００３７】
第３態様を参照すると、第３態様の可能な実現形態において、前記端末の識別情報は、前記端末のシステムアーキテクチャエボリューション一時移動加入者識別子（Ｓ−ＴＭＳＩ）または５Ｇ−Ｓ−ＴＭＳＩである。
【００３８】
第３態様または上記のいずれか１つの可能な実現形態を参照すると、第３態様の別の可能な実現形態において、前記第１メッセージは乱数を搬送する。
【００３９】
第３態様または上記のいずれか１つの可能な実現形態を参照すると、第３態様の別の可能な実現形態において、前記乱数が占用するビット数は、前記識別情報が占用するビット数より小さい。
【００４０】
第３態様または上記のいずれか１つの可能な実現形態を参照すると、第３態様の別の可能な実現形態において、前記第１メッセージを送信する前に、前記識別情報が前記端末に記憶される。
【００４１】
第３態様または上記のいずれか１つの可能な実現形態を参照すると、第３態様の別の可能な実現形態において、前記第１メッセージは、前記端末がアクセスしたネットワークスライスを指示するパラメータ、または前記ＭＳＧ３で搬送される確立原因値、またはＩ−ＲＮＴＩのうちの少なくとも１つのパラメータを含む。
【００４２】
第３態様または上記のいずれか１つの可能な実現形態を参照すると、第３態様の別の可能な実現形態において、前記確立原因値が占用するビットは、３ビットより大きく、および／または、
前記端末が位置するネットワークスライスを指示するパラメータが占用するビットは、２４ビットである。
【００４３】
第３態様または上記のいずれか１つの可能な実現形態を参照すると、第３態様の別の可能な実現形態において、前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器である。
【００４４】
第４態様において、無線通信方法を提供し、前記方法は、
ネットワーク機器が、端末によって送信される第１メッセージを受信することであって、前記第１メッセージは、ランダムアクセスプロセスでのメッセージ３（ＭＳＧ３）であることと、
前記第１メッセージに対して、前記ネットワーク機器が、前記端末に応答メッセージを送信することであって、前記応答メッセージは、ランダムアクセスプロセスでのメッセージ４（ＭＳＧ４）であることと、
前記ネットワーク機器が、前記端末によって送信される第２メッセージを受信することであって、前記第２メッセージは前記端末の識別情報を搬送し、前記第２メッセージは、ランダムアクセスプロセスでのメッセージ５（ＭＳＧ５）であることとを含む。
【００４５】
第４態様を参照すると、第４態様の可能な実現形態において、前記端末の識別情報は、前記端末のシステムアーキテクチャエボリューション一時移動加入者識別子（Ｓ−ＴＭＳＩ）または５Ｇ−Ｓ−ＴＭＳＩである。
【００４６】
第４態様または上記のいずれか１つの可能な実現形態を参照すると、第４態様の別の可能な実現形態において、前記第１メッセージは乱数を搬送する。
【００４７】
第４態様または上記のいずれか１つの可能な実現形態を参照すると、第４態様の別の可能な実現形態において、前記乱数が占用するビット数は、前記識別情報が占用するビット数より小さい。
【００４８】
第４態様または上記のいずれか１つの可能な実現形態を参照すると、第４態様の別の可能な実現形態において、前記第１メッセージは、前記端末がアクセスしたネットワークスライスを指示するパラメータ、または前記ＭＳＧ３で搬送される確立原因値、またはＩ−ＲＮＴＩのうちの少なくとも１つのパラメータを含む。
【００４９】
第４態様または上記のいずれか１つの可能な実現形態を参照すると、第４態様の別の可能な実現形態において、前記確立原因値が占用するビットは、３ビットより大きく、および／または、
前記端末が位置するネットワークスライスを指示するパラメータが占用するビットは、２４ビットである。
【００５０】
第４態様または上記のいずれか１つの可能な実現形態を参照すると、第４態様の別の可能な実現形態において、前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器である。
【００５１】
第５態様において、無線通信方法を提供し、前記方法は、
ランダムアクセスプロセスでのメッセージ３（ＭＳＧ３）に端末の識別情報を含めることができる場合、前記ＭＳＧ３で前記端末の識別情報を搬送することと、
前記端末は、前記識別情報が搬送されるＭＳＧ３をネットワーク機器に送信することとを含む。
【００５２】
第５態様を参照すると、第５態様の可能な実現形態において、前記識別情報は、前記端末の非アクティブな無線ネットワーク一時識別子（Ｉ−ＲＮＴＩ）である。
【００５３】
第５態様または上記のいずれか１つの可能な実現形態を参照すると、第５態様の別の可能な実現形態において、前記識別情報は、前記端末の再開識別子（ＲＥＳＵＭＥ  ＩＤ）である。
【００５４】
第５態様または上記のいずれか１つの可能な実現形態を参照すると、第５態様の別の可能な実現形態において、前記方法は、第１システムで使用されることであって、前記第１システムのアクセスネットワーク機器は、ロングタームエボリューション（ＬＴＥ）システムのアクセスネットワーク機器であり、前記第１システムのコアネットワーク機器は、５Ｇコアネットワーク（５ＧＣ）機器である。
【００５５】
第５態様または上記のいずれか１つの可能な実現形態を参照すると、第５態様の別の可能な実現形態において、前記端末の識別情報の長さは、第２システムのＭＳＧ３で搬送される端末の識別情報の長さより小さいことであって、前記第２システムのアクセスネットワーク機器は、ニューラジオ（ＮＲ）アクセスネットワーク機器であり、前記第２システムのコアネットワーク機器は、５ＧＣ機器である。
【００５６】
第５態様または上記のいずれか１つの可能な実現形態を参照すると、第５態様の別の可能な実現形態において、前記識別情報は、アクセスネットワーク機器の第１識別情報および前記端末が前記アクセスネットワーク機器内にあることを指示する第２識別情報を含むことであって、前記第１識別情報は、ＬＴＥアクセスネットワーク機器の識別情報である。
【００５７】
第５態様または上記のいずれか１つの可能な実現形態を参照すると、第５態様の別の可能な実現形態において、前記識別情報が占用するビット数は、５２ビットより小さい。
【００５８】
第５態様または上記のいずれか１つの可能な実現形態を参照すると、第５態様の別の可能な実現形態において、前記方法は、第２システムで使用されることであって、前記第２システムのアクセスネットワーク機器は、ニューラジオ（ＮＲ）アクセスネットワーク機器であり、前記第２システムのコアネットワーク機器は、５ＧＣ機器である。
【００５９】
第６態様において、端末を提供し、前記端末は、上記の第１の態様または第１態様の任意の可能な実施形態、または第３態様または第３態様の任意の可能な実施形態、または第５態様または第５態様の任意の可能な実施形態における方法を実行するように構成される。具体的に、前記端末は、上記の第１態様または第１態様の任意の可能な実施形態、または第３態様または第３態様の任意の可能な実施形態、または第５態様または第５態様の任意の可能な実施形態における方法を実行するように構成される機能モジュールを含む。
【００６０】
第７態様において、ネットワーク機器を提供し、前記ネットワーク機器は、上記の第２態様または第２態様の任意の可能な実施形態、または第４態様または第４態様の任意の可能な実施形態における方法を実行するように構成される。具体的に、前記ネットワーク機器は、上記の第２態様または第２態様の任意の可能な実施形態、または第４態様または第４態様の任意の可能な実施形態における方法を実行するように構成される機能モジュールを含む。
【００６１】
第８態様において、端末を提供し、前記端末は、プロセッサ、メモリおよびトランシーバを含む。前記プロセッサ、前記メモリおよび前記トランシーバは、内部接続パスを介して互いに通信し、制御および／またはデータ信号を伝送するため、端末が第１態様または第１態様の任意の可能な実施形態、または第３態様または第３態様の任意の可能な実施形態、または第５態様または第５態様の任意の可能な実施形態における方法を実行するようにする。
【００６２】
第９態様において、ネットワーク機器提供し、前記ネットワーク機器は、プロセッサ、メモリおよびトランシーバを含む。前記プロセッサ、前記メモリおよび前記トランシーバは、内部接続パスを介して互いに通信し、制御および／またはデータ信号を伝送するため、ネットワーク機器が上記の第２態様または第２態様の任意の可能な実施形態、または第４態様または第４態様の任意の可能な実施形態における方法を実行するようにする。
【００６３】
第１０態様において、コンピュータプログラムを記憶するように構成されるコンピュータ読み取り可能な記憶媒体を提供し、前記コンピュータプログラムは、上記の方法または任意の可能な実施形態における方法を実行するための命令を含む。
【００６４】
第１１態様において、命令を含むコンピュータプログラム製品を提供し、前記コンピュータプログラム製品がコンピュータで実行されると、コンピュータが上記の方法または任意の可能な実施形態における方法を実行するように構成される。
【００６５】
第１２態様において、上記のいずれかの態様またはその実施形態の方法を実行するように構成されるチップを提供する。
【００６６】
具体的に、前記チップは、プロセッサを含み、前記プロセッサは、メモリからコンピュータプログラムを呼び出して実行し、前記チップを搭載した機器が上記のいずれかの態様またはその実施形態の方法を実行するように構成される。
【００６７】
第１３態様において、コンピュータプログラムを提供し、前記コンピュータプログラムがコンピュータで実行されると、コンピュータが上記のいずれかの態様またはその実施形態の方法を実行するように構成される。
【発明の効果】
【００６８】
したがって、本出願の実施例では、端末によってネットワーク機器に送信されるＭＳＧで第１パラメータの部分的な情報を伝送することにより、より多くのビットの第１パラメータの伝送を実現することができ、および／または第１パラメータのスペアビットが他のパラメータによって占用されることができるため、より多くのパラメータの伝送を実現することができる。
【図面の簡単な説明】
【００６９】
本出願の実施例の技術的解決策をより明確に説明するために、実施例または先行技術の説明で使用される図面を以下に簡単に紹介する。明らかに、以下の説明における図面は、本出願のいくつかの実施例にすぎず、当業者にとって、創造的な努力なしにこれらの図面に従って他の図面を得ることができる。
【図１】本出願の実施例の無線システムの概略図である。
【図２】本出願の実施例のランダムアクセスプロセスの概略図である。
【図３】本出願の実施例の無線通信方法の例示的なフローチャートである。
【図４】本出願の実施例のＭＳＧ３の概略図である。
【図５】本出願の実施例のＭＳＧ３の概略図である。
【図６】本出願の実施例の無線通信方法の例示的なフローチャートである。
【図７】本出願の実施例の無線通信方法の例示的なフローチャートである。
【図８】本出願の実施例の無線通信方法の例示的なフローチャートである。
【図９】本出願の実施例の無線通信方法の例示的なフローチャートである。
【図１０】本出願の実施例の端末の例示的なブロック図である。
【図１１】本出願の実施例のネットワーク機器の例示的なブロック図である。
【図１２】本出願の実施例のシステムチップの例示的なブロック図である。
【図１３】本出願の実施例の通信機器の例示的なブロック図である。
【図１４】本出願の実施例の通信システムの例示的なブロック図である。
【発明を実施するための形態】
【００７０】
以下、本出願の実施例における図面を参照して、本出願の実施例における技術的解決策を説明するが、説明された実施例は、本出願の実施例の一部であり、全部の実施例ではない。本出願の実施例に基づいて、創造的な努力なしに当業者によって得られる他のすべての実施例は、本出願の保護範囲に含まれるものとする。
【００７１】
本出願の実施例における技術的解決策は、様々な通信システムに適用されることができ、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域シンボル分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システ（ＵＴＭＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは将来の５Ｇシステム（ニューラジオ（ＮＲ：Ｎｅｗ  Ｒａｄｉｏ）システムとも呼ばれる）などで適用されることができる。
【００７２】
図１は、本出願の実施例で適用される無線通信システム１００を示す。前記無線通信システム１００は、ネットワーク機器１１０を含み得る。ネットワーク機器１１０は、端末機器と通信する機器であってもよい。ネットワーク機器１１０は、特定の地理的エリアに通信カバレッジを提供することができ、カバレッジエリア内に位置する端末機器（例えばＵＥなど）と通信することができる。選択的に、前記ネットワーク機器１１０は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）、またはＷＣＤＭＡシステムの基地局（ＮＢ：ＮｏｄｅＢ）、またはＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）の無線コントローラであり得、または、前記ネットワーク機器１１０は、リレーステーション、アクセスポイント、車載機器、ウェアラブル機器、将来の５Ｇネットワークのネットワーク側の機器、または将来進化する公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器であってもよい。
【００７３】
前記無線通信システム１００は、ネットワーク機器１１０のカバレッジエリア内に位置する少なくとも１つの端末機器１２０をさらに含む。端末機器１２０は、モバイルまたは固定であってもよい。選択的に、端末機器１２０は、アクセス端末、ユーザ機器（ＵＥ：Ｕｓｅｒ  Ｅｑｕｉｐｍｅｎｔ）、ユーザユニット、ユーザステーション、モバイルステーション、移動台、リモートステーション、リモート端末、モバイルデバイス、ユーザ端末、端末、無線通信デバイス、ユーザエージェント、またはユーザデバイスを指し得る。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイス、５Ｇネットワークの端末機器または将来進化するＰＬＭＮの端末機器などであり得る。
【００７４】
選択的に、端末機器１２０間では、装置対装置（Ｄ２Ｄ：Ｄｅｖｉｃｅ  ｔｏ  Ｄｅｖｉｃｅ）通信を実行し得る。
【００７５】
選択的に、５Ｇシステムまたはネットワークは、ニューラジオ（ＮＲ：Ｎｅｗ  Ｒａｄｉｏ）システムまたはネットワークとも呼ばれる。
【００７６】
図１は、１つのネットワーク機器および２つの端末機器を例示的に示し、選択的に、前記無線通信システム１００は、複数のネットワーク機器を含むことができ、各ネットワーク機器のカバレッジ内には、他の数の端末機器が含まれることができるが、本出願の実施例はこれに限定されない。
【００７７】
選択的に、前記無線通信システム１００は、ネットワークコントローラ、モバイル管理エンティティなどの他のネットワークエンティティをさらに含むことができるが、本出願の実施例はこれに限定されない。
【００７８】
本明細書における「システム」および「ネットワーク」という用語は、本明細書で常に互換的に使用されることを理解されたい。本明細書における「および／または」という用語は、関連付けられたオブジェクトを説明する単なる関連付けであり、３種類の関係が存在することができることを示し、例えば、Ａおよび／またはＢは、Ａが独立で存在する場合、ＡとＢが同時に存在する場合、Ｂが独立で存在する場合など３つの場合を表す。さらに、本明細書における文字「／」は、一般的に、コンテキストオブジェクトが「または」の関係であることを示す。
【００７９】
図２は、本出願の実施例のランダムアクセスプロセスの概略図である。
【００８０】
２０１において、端末はネットワーク機器にメッセージ１（ＭＳＧ１）を送信し、ここで、前記ＭＳＧ１はランダムアクセスプリアンブル（Ｐｒｅａｍｂｌｅ）を搬送することができる。
【００８１】
２０２において、ネットワーク機器は、端末によって送信されるＭＳＧ１を受信した後、前記ＭＳＧ１に応答する応答メッセージ、すなわちメッセージ２（ＭＳＧ２）を送信することができる。
【００８２】
選択的に、ネットワーク機器は、前記ＭＳＧ１のリソースロケーションに従ってランダムアクセス無線ネットワーク一時識別子（ＲＡ−ＲＮＴＩ：Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ）を計算し、前記ＲＡ−ＲＮＴＩを使用してＭＳＧ２をスクランブルすることができる。
【００８３】
選択的に、ネットワーク機器は、端末によって送信されるメッセージ３（ＭＳＧ３）が占用するリソースを指示するために、前記ＭＳＧ２でアップリンク許可（ＵＬ  Ｇｒａｎｔ：Ｕｐｌｉｎｋ  Ｇｒａｎｔ）を搬送する。
【００８４】
２０３において、端末は、前記ＭＳＧ２を受信した後、前記ＭＳＧ２に従ってネットワーク機器にメッセージ３（ＭＳＧ３）を送信する。
【００８５】
選択的に、端末は、ＭＳＧ１のリソースロケーションに従ってＲＡ―ＲＮＴＩを取得して、前記ＭＳＧ２をデスクランブルすることができる。
【００８６】
選択的に、端末は、前記ＭＳＧ２のＵＬ  Ｇｒａｎｔに従ってＭＳＧ３を送信することができる。
【００８７】
選択的に、前記ＭＳＧ３は端末の識別情報などを搬送することができる。
【００８８】
２０４において、ネットワーク機器は、端末によって送信されるＭＳＧ３を受信した後、前記ＭＳＧ３に従って端末にメッセージ４（ＭＳＧ４）を送信することができる。
【００８９】
選択的に、ネットワーク機器は、ＭＳＧ３で搬送される１つまたは複数のパラメータの情報を前記ＭＳＧ４で搬送されることができ、端末が当該端末自体に対する前記ＭＳＧ３であることを識別する。
【００９０】
２０５において、端末は、当該ＭＳＧ４を受信した後、当該ＭＳＧ４が自体に対するものであること決定した後、当該ＭＳＧ４に従ってネットワーク機器にメッセージ５（ＭＳＧ５）を送信することができる。
【００９１】
通信システムの発展に伴い、ＭＳＧ３でより多くのパラメータが搬送されるか、あるいはパラメータの長さが長くなることを期待する。
【００９２】
例えば、ＭＳＧ３は端末の識別情報を搬送することができ、前記識別情報は、５Ｇ−Ｓ−ＴＭＳＩであり得る。ここで、５Ｇ−Ｓ−ＴＭＳＩが占用するビット数は、ＬＴＥシステムのＳ−ＴＭＳＩが占用するビット数より多い場合があり、例えば、ＬＴＥの４０ビットから４８ビットに拡張されることができる。
【００９３】
ここで、Ｓ−ＴＭＳＩは、システムアーキテクチャエボリューション一時移動加入者識別子（ＳＡＥ  Ｔｅｍｐｏｒａｒｙ  Ｍｏｂｉｌｅ  Ｓｕｂｓｃｒｉｂｅｒ  Ｉｄｅｎｔｉｔｙ）であり得る。
【００９４】
選択的に、本出願の実施例において、５Ｇ−Ｓ−ＴＭＳＩは、ＡＭＦセットＩＤ（ＡＭＦ  Ｓｅｔ  ＩＤ）、ＡＭＤポイント（ＡＭＦ  Ｐｏｉｎｔｅｒ）および５Ｇ−ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ、一時移動加入者識別子）を含むことができ、ここで、ＡＭＦ  Ｓｅｔ  ＩＤおよびＡＭＦ  Ｐｏｉｎｔｅｒは、ＡＭＦ情報を指示し、５Ｇ−ＴＭＳＩは、ＡＭＦの唯一のＵＥ識別子である。
【００９５】
５Ｇ−Ｓ−ＴＭＳＩは、他の名称があってもよく、上記の一部の情報パラメータを含む限り、本出願の保護範囲にあることを理解されたい。
【００９６】
例えば、５ＧシステムでＭＳＧで搬送される確立原因値（ｅｓｔａｂｌｉｓｈｍｅｎｔ  ｃａｕｓｅ）が占用するビット数は、３ビットより多いことができ、例えば、８ビット以上、さらに１６ビットまで達する。
【００９７】
なお、５Ｇシステムは、ネットワークスライスをサポートするために、スライスの識別子もＭＳＧで搬送される必要がある可能性がある。ここで、前記ネットワークスライスの識別子は、例えば少なくとも２４ビットであることができるため、ＭＳＧ３に対しては、より大きな負担でもある。
【００９８】
しかしながら、ＭＳＧ３は、共通制御チャンネル（ＣＣＣＨ：Ｃｏｍｍｏｎ  Ｃｏｎｔｒｏｌ  Ｃｈａｎｎｅｌ）サービスデータユニット（ＳＤＵ：Ｓｅｒｖｉｃｅ  Ｄａｔａ  Ｕｎｉｔ）に制限されるため、限られた数のビットしか伝送できない。
【００９９】
このため、本出願の実施例は、上記の問題を解決するために、以下の方法および機器を提供する。
【０１００】
図３は、本出願の実施例の無線通信方法３００の例示的なフローチャートである。前記方法３００は、以下の内容の少なくとも一部を含む。
【０１０１】
３１０において、端末は、ネットワーク機器に第１メッセージを送信し、前記第１メッセージは、ランダムアクセスプロセスでのＭＳＧ３であり、ここで、前記第１メッセージは第１パラメータの部分的な情報を搬送する。
【０１０２】
選択的に、本出願の実施例において、前記第１パラメータは、前記端末の識別情報であり、または前記端末が位置するネットワークスライスを指示するパラメータであり、またはＭＳＧ３で搬送される確立原因値であり、または非アクティブな無線ネットワーク一時識別子（Ｉ−ＲＮＴＩ；Ｉｎａｃｔｉｖｅ  Ｒａｄｉｏ  Ｎｅｔｗｏｒｋ  Ｔｅｍｐｏｒａｒｙ  Ｉｄｅｎｔｉｔｙ）である。
【０１０３】
選択的に、本出願の実施例において、前記識別情報は、Ｓ−ＴＭＳＩまたは５Ｇ−Ｓ−ＴＭＳＩである。
【０１０４】
選択的に、Ｓ−ＴＭＳＩまたは５Ｇ−Ｓ−ＴＭＳＩは、前記端末によって送信される非アクセス層（ＮＡＳ：Ｎｏｎ−Ａｃｃｅｓｓ−Ｓｔｒａｔｕｍ）メッセージのターゲットコアネットワーク機器の情報および端末機器を識別するための情報を含み得る。
【０１０５】
Ｓ−ＴＭＳＩおよび５Ｇ−Ｓ−ＴＭＳＩは、他の名称であってもよく、上記の情報の２つの部分を含む限り、本出願の保護範囲内にあることを理解されたい。
【０１０６】
選択的に、本出願の実施例において、前記識別情報に必要な総ビット数は４０ビットまたは４８ビットである。
【０１０７】
選択的に、本出願の実施例において、前記第１パラメータは、前記端末の識別情報であり、前記第１メッセージで搬送される前記部分的な情報は、前記端末の識別情報での前記端末の非アクセス層（ＮＡＳ）メッセージのターゲットコアネットワーク機器の情報以外の情報である。
【０１０８】
具体的に、５Ｇ−Ｓ−ＴＭＳＩは、コアネットワーク機器を指示するビット、接続及び移動性管理機能（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）のビットを含むさまざまなドメインで構成され、この部分は多くの端末に共通する可能性があるため、ＭＳＧ３でのみこの部分以外の情報を伝送することができる。
【０１０９】
言い換えれば、できるだけ５Ｇ−Ｓ−ＴＭＳＩで低ビット、例えば、低４０ビット維持するため、これらのビットはＡＭＦ内で唯一であり、切断しても衝突確率は増加しない。ＬＴＥシステムでは、４０ｂｉｔのＳ−ＴＭＳＩは、ＭＳＧ３でも高ビット（即ち、モバイル管理エンティティ（ＭＭＥ：Ｍｏｂｉｌｉｔｙ  Ｍａｎａｇｅｍｅｎｔ  Ｅｎｔｉｔｙ）識別する情報のビット）を伝送しないことが可能であり、その目的も、アクセスプロセスの衝突確率を増加させないことである。
【０１１０】
選択的に、コアネットワーク機器を識別するための情報は、グローバル一意モバイル管理エンティティ識別子（ＧＵＭＭＥＩ：Ｇｌｏｂａｌ  Ｕｎｉｑｕｅ  Ｍｏｂｉｌｉｔｙ  Ｍａｎａｇｅｍｅｎｔ  Ｅｎｔｉｔｙ  Ｉｄｅｎｔｉｆｉｅｒ）であってもよく、またはグローバル一意ＡＭＦ識別子（ＧＵＡＭＩ：Ｇｌｏｂａｌｌｙ  Ｕｎｉｑｕｅ  ＡＭＦ  Ｉｄｅｎｔｉｆｉｅｒ）であってもよい。
【０１１１】
本出願の実施例での５Ｇ−Ｓ−ＴＭＳＩまたはＳ−ＴＭＳＩは、４８ビットおよび４０ビット以外のビット数であってもよく、本出願の実施例はこれに特に限定されない。
【０１１２】
選択的に、本出願の実施例において、端末自体が５Ｇ−Ｓ−ＴＭＳＩまたはＴ−ＴＭＳＩを記憶していない場合、前記識別情報は、乱数であってもよく、このとき、より短い乱数を生成することができ、例えば、前記乱数のビット数は、５Ｇ−Ｓ−ＴＭＳＩまたはＴ−ＴＭＳＩが占用するビット数より小さくてもよい。
【０１１３】
もちろん、本出願の実施例は、より多くのビットを占用する乱数を生成することもできるが、乱数のビットの一部のみがＭＳＧ３で伝送される。
【０１１４】
選択的に、本出願の実施例において、ＭＳＧ３で第２パラメータを伝送することもでき、前記第２パラメータは、前記端末がアクセスしたネットワークスライスを指示するパラメータ、または前記ＭＳＧ３で搬送される確立原因値、またはＩ−ＲＮＴＩを含む。
【０１１５】
ここで、前記Ｉ−ＲＮＴＩは、非アクティブな無線ネットワーク一時識別子（Ｉ−ＲＮＴＩ：Ｉｎａｃｔｉｖｅ  Ｒａｄｉｏ  Ｎｅｔｗｏｒｋ  Ｔｅｍｐｏｒａｒｙ  Ｉｄｅｎｔｉｔｙ）であってもよく、例えば、前記ＲＮＴＩは、セル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ）であってもよい。
【０１１６】
選択的に、本出願の実施例において、前記端末がアクセスしたネットワークスライスを指示するパラメータは、単一のネットワークスライス選択支援情報（Ｓ−ＮＳＳＡＩ：Ｓｉｎｇｌｅ  Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ）であり得る。
【０１１７】
選択的に、本出願の実施例において、前記第１メッセージは、第２パラメータの情報の一部または全部をさらに含む。
【０１１８】
選択的に、本出願の実施例において、ＭＳＧ３で搬送される前記確立原因値が占用するビットは、３ビットより大きく。
【０１１９】
選択的に、本出願の実施例において、ＭＳＧ３で搬送される前記端末がアクセスしたネットワークスライスを指示するパラメータが占用するビットは、２４ビットである。もちろん、前記端末がアクセスしたネットワークスライスを指示するパラメータは、他のビット数であってよく、本出願はこれに特に限定されない。
【０１２０】
選択的に、本出願の実施例において、前記第１メッセージは、無線リソース制御（ＲＲＣ）接続要求、またはＲＲＣ要求を指示するメッセージである。
【０１２１】
例えば、前記第１メッセージは、ＲＲＣＣｏｎｎｅｃｔｉｏｎＲｅｑｕｅｓｔまたはＲＣＣＲｅｑｕｅｓｔなどであり得る。
【０１２２】
３２０において、前記端末は、前記第１メッセージに対して前記ネットワーク機器によって送信される応答メッセージを受信し、前記応答メッセージは、ランダムアクセスプロセスでのメッセージ４（ＭＳＧ４）である。
【０１２３】
選択的に、本出願の実施例において、前記第１パラメータは、前記端末の識別情報であり、前記端末は、前記応答メッセージで搬送される前記識別情報の前記部分的な情報に従って、前記応答メッセージは前記端末に対して送信される前記第１メッセージであると決定する。
【０１２４】
具体的に、ネットワーク機器は、端末によって送信されるＭＳＧ３を受信した後、前記ＭＳＧ３の識別情報の部分的な情報をＭＳＧ４で搬送することができるため、端末は、ＭＳＧ４で搬送される前記部分的な情報に従って、前記ＭＳＧ４は、前記端末に対してのメッセージであることを決定する。
【０１２５】
選択的に、本出願の実施例において、前記端末は、前記ネットワーク機器に第２メッセージを送信し、前記第２メッセージは前記第１パラメータの前記部分的な情報以外の残りの情報を搬送する。
【０１２６】
選択的に、前記第１パラメータは、前記端末の識別情報であり、前記第２メッセージで搬送される前記残りの情報は、前記端末によって送信されるＮＡＳメッセージのターゲットコアネットワーク機器を識別する情報である。
【０１２７】
したがって、端末は、第１メッセージで搬送される情報および第２メッセージで搬送される情報に従って、前記端末の識別情報を決定することができる。
【０１２８】
本出願の実施例において、ターゲットコアネットワーク装置を識別するための情報および他の情報に基づいて端末装置の識別情報をセグメント化することに加えて、他の方式に基づいて前記識別情報をセグメント化することもでき、本出願の実施例はこれに特に限定されないことを理解されたい。
【０１２９】
本出願の実施例において、第２メッセージで識別情報の他の情報を搬送しなくてもよく、例えば、送信されない第１メッセージの部分的な情報がＧＵＭＭＡＩである場合、前記部分的な情報の伝送を実行しなくてもよいことを理解されたい。
【０１３０】
第２メッセージは、端末の識別情報のすべての情報を搬送することもできることも理解されたい。例えば、第１メッセージでＳ−ＴＭＳＩまたは５Ｇ−Ｓ−ＴＭＳＩの部分的な情報を搬送し、および第２メッセージでＳ−ＴＭＳＩまたは５Ｇ−Ｓ−ＴＭＳＩのすべての情報を搬送する。
【０１３１】
選択的に、本出願の実施例において、前記第２メッセージは、ランダムアクセスプロセスでのメッセージ５（ＭＳＧ５）である。
【０１３２】
選択的に、本出願の実施例において、前記第２メッセージは、ＲＲＣ接続確立完了、ＲＲＣ接続再開完了、ＲＲＣ確立完了またはＲＲＣ再開完了を指示するメッセージである。
【０１３３】
選択的に、本出願の実施例において、ＭＳＧ５は、ＲＲＣＣｏｎｎｅｃｔｉｏｎＳｅｔｕｐＣｏｍｐｌｅｔｅ、またはＲＲＣＳｅｔｕｐＣｏｍｐｌｅｔｅまたはＲＲＣＲｅｓｕｍｅＣｏｍｐｌｅｔｅまたはＲＲＣＣｏｎｎｅｃｔｉｏｎＲｅｓｕｍｅＣｏｍｐｌｅｔｅであり得る。
【０１３４】
選択的に、本出願の実施例において、前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器である。
【０１３５】
本出願の実施例はこれに限定されないことを理解されたい。例えば、前記端末が現在アクセスしたアクセスネットワーク機器は、５Ｇシステムのアクセスネットワーク機器であり、および現在アクセスしたコアネットワーク機器は、５Ｇシステムのコアネットワーク機器である。
【０１３６】
あるいは、前記端末が現在アクセスしたアクセスネットワーク機器は、ロングタームエボリューション（ＬＴＥ）システムのアクセスネットワーク機器であり、現在アクセスしたコアネットワーク機器は、ＬＴＥシステムのコアネットワーク機器である。
【０１３７】
あるいは、前記端末が現在アクセスしたアクセスネットワーク機器は、５Ｇシステムのアクセスネットワーク機器であり、現在アクセスしたコアネットワーク機器は、ＬＴＥシステムのコアネットワーク機器である。
【０１３８】
本出願をより明確に理解するために、以下では、いくつかの例を参照して本出願の実施例を詳細に説明する。
【０１３９】
以下の実施例では、ＬＴＥから５Ｇシステムへの変換のいくつかのケースが考慮される。
【０１４０】
例えば、５Ｇ−Ｓ−ＴＭＳＩが占用するビット数は、ＬＴＥシステムでＳ−ＴＭＳＩが占用するビット数より多い可能性があり、例えば、ＬＴＥの４０ビットから４８ビットに拡張することができる。
【０１４１】
例えば、５ＧシステムでＭＳＧで搬送される確立原因（ｅｓｔａｂｌｉｓｈｍｅｎｔ  ｃａｕｓｅ）値が占用するビット数は、３ビットより多いことができ、例えば、８ビット以上、さらには１６ビットまで達する。
【０１４２】
なお、５Ｇシステムは、ネットワークスライスを支持するために、スライスの識別子もＭＳＧで搬送される必要がある可能性がある。ここで、前記ネットワークスライスの識別子は、例えば少なくとも２４ビットであることができるため、ＭＳＧ３に対しては、より大きな負担でもある。
【０１４３】
実施例１：
本実施例では、Ｓ−ＮＳＳＡＩおよびより多くの数を占用する確立原因（ｅｓｔａｂｌｉｓｈｍｅｎｔ  ｃａｕｓｅ）を考慮せず、より大きな５Ｇ−Ｓ−ＴＭＳＩをどのようにサポートするかのみを考慮する。ＵＥ―ＩＤ識別を分割することによって、ＭＳＧ３の占用を節約する。
【０１４４】
例えば、図４に示されるように、４８ビットの５Ｇ−Ｓ−ＴＭＳＩにおいて、最初の４０ビットはＭＳＧ３に配置され、追加の８ビットはＭＳＧ５に配置されることができる。４８ビットは、他の方法で割り当てられてもよく、例えば、２４ビットはＭＳＧ３に配置され、２４ビットはＭＳＧ５に配置される。このようにして、ＵＥ―ＩＤドメインから節約されたビットは、確立原因（ｅｓｔａｂｌｉｓｈｍｅｎｔ  ｃａｕｓｅ）または他のパラメータを伝送するために使用されることができる。
【０１４５】
実施例２：
本実施例では、新しい確立原因（ｅｓｔａｂｌｉｓｈｍｅｎｔ  ｃａｕｓｅ）を考慮し、Ｇ−Ｓ−ＴＭＳＩサイズの変化およびＳ−ＮＳＳＡＩを考慮しない。Ｃａｕｓｅの増加は、より多くのビットが必要であるが、１ビットの追加など、多くのビットは必要ない。この場合、ＭＳＧ３のスペアビットを占用してもよく、４０ビットのＵＥ―ＩＤを分割してもよく、例えば、図５に示されるように、３２ビットがＭＳＧ３に配置され、８ビットがＭＳＧ５に配置される。
【０１４６】
実施例３：
本実施例では、Ｓ−ＮＳＳＡＩのみを考慮し、Ｓ−ＮＳＳＡＩサイズは、２４ｂｉｔであることができるだめ、ＭＳＧ３でのＳ−ＮＳＳＡＩの伝送を満たすようにＵＥ―ＩＤを分割する場合、必要に応じて２４＋２４で分割することができる。
【０１４７】
実施例４：
Ｓ−ＮＳＳＡＩ、より多くのビット数の確立原因（ｅｓｔａｂｌｉｓｈｍｅｎｔ  ｃａｕｓｅ）およびより大きな５Ｇ−Ｓ−ＴＭＳＩを一緒に考慮することもでき、ＭＳＧ３のサイズが制限される場合、５Ｇ−Ｓ−ＴＭＳＩを分割して、他のパラメータをＭＳＧ３に含める要求を満たすことができる。
【０１４８】
上記のすべての実施例について、パラメータの分割に関しては、ＭＳＢから分割することができ、ＬＳＢから分割することもできる。
【０１４９】
以上で説明したように、第１メッセージは、第１パラメータの部分的な情報を搬送する。前記第１パラメータは、例えば、Ｓ−ＴＭＳＩまたは５Ｇ−Ｓ−ＴＭＳＩであり得る。しかし、本出願の実施例はこれに限定されないことを理解されたい。
【０１５０】
以下、図６を参照して説明する。
【０１５１】
図６は、本出願の実施例の方法１０００の例示的なフローチャートである。図６に示されるように、前記方法１０００は、以下の内容の少なくとも一部を含む。
【０１５２】
１０１０において、端末は、ネットワーク機器に第１メッセージを送信し、前記第１メッセージは、ランダムアクセスプロセスでのＭＳＧ３である。
【０１５３】
１０２０において、前記端末は、前記第１メッセージに対して前記ネットワーク機器によって送信される応答メッセージを受信し、前記応答メッセージは、ランダムアクセスプロセスでのメッセージ４（ＭＳＧ４）である。
【０１５４】
１０３０において、前記端末は、前記ネットワーク機器に第２メッセージを送信し、ここで、前記第２メッセージは前記端末の識別情報を搬送し、前記第２メッセージは、ランダムアクセスプロセスでのＭＳＧ５である。
【０１５５】
選択的に、本出願の実施例において、前記端末の識別情報は、前記端末のＳ−ＴＭＳＩまたは５Ｇ−Ｓ−ＴＭＳＩである。
【０１５６】
選択的に、本出願の実施例において、前記第１メッセージは乱数を搬送する。
【０１５７】
選択的に、本出願の実施例において、前記乱数が占用するビット数は、前記識別情報が占用するビット数より小さい。例えば、乱数は４０ビットを占用し、識別情報は４８ビットを占用する。
【０１５８】
選択的に、本出願の実施例において、ネットワーク機器は、ＭＳＧ４で前記乱数を搬送することができ、端末が前記端末自体に対する前記ＭＳＧ４であることを識別する。
【０１５９】
選択的に、本出願の実施例において、前記第１メッセージを送信する前に、前記識別情報が前記端末に記憶される。
【０１６０】
例えば、ＭＳＧ３を送信する前に、端末にＳ−ＴＭＳＩまたは５Ｇ−Ｓ−ＴＭＳＩが記憶されても、ＭＳＧ３で乱数を送信することができる。
【０１６１】
選択的に、本出願の実施例において、前記第１メッセージは、前記端末がアクセスしたネットワークスライスを指示するパラメータ、または前記ＭＳＧ３で搬送される確立原因値、またはＩ−ＲＮＴＩのうちの少なくとも１つのパラメータを含む。
【０１６２】
選択的に、本出願の実施例において、前記確立原因値が占用するビットは、３ビットより大きく、および／または、前記端末が位置するネットワークスライスを指示するパラメータが占用するビットは、２４ビットである。
【０１６３】
方法１０００の具体的な実現は、方法３００の説明（例えば、用語などの説明、拡張実現形態など）を参照することができ、簡潔にするために、ここでは繰り返さないことを理解されたい。
【０１６４】
図７は、本出願の実施例の無線通信方法４００の例示的なフローチャートである。図７に示されるように、前記方法４００は、以下の内容の少なくとも一部を含む。
【０１６５】
４１０において、ネットワーク機器は、端末によって送信される第１メッセージを受信し、前記第１メッセージは、ランダムアクセスプロセスでのメッセージ３（ＭＳＧ３）であり、ここで、前記第１メッセージは第１パラメータの部分的な情報を搬送する。
【０１６６】
４２０において、前記ネットワーク機器は、前記第１メッセージに対して前記端末に応答メッセージを送信し、前記応答メッセージは、ランダムアクセスプロセスでのメッセージ４（ＭＳＧ４）である。
【０１６７】
選択的に、本出願の実施例において、前記ネットワーク機器は、前記端末によって送信される第２メッセージを受信し、ここで、前記第２メッセージは、前記第１パラメータの前記部分的な情報以外の残りの情報を搬送する。
【０１６８】
選択的に、本出願の実施例において、前記第２メッセージは、ランダムアクセスプロセスでのメッセージ５（ＭＳＧ５）である。
【０１６９】
選択的に、本出願の実施例において、前記第１パラメータは、
前記端末の識別情報であり、または前記端末が位置するネットワークスライスを指示するパラメータであり、またはＭＳＧ３で搬送される確立原因値であり、または非アクティブな無線ネットワーク一時識別子（Ｉ−ＲＮＴＩ）である。
【０１７０】
選択的に、本出願の実施例において、前記識別情報は、前記端末のＳ−ＴＭＳＩまたは５Ｇ−Ｓ−ＴＭＳＩである。
【０１７１】
選択的に、本出願の実施例において、前記第１パラメータは、前記端末の識別情報であり、前記応答メッセージは、前記識別情報の前記部分的な情報を搬送する。
【０１７２】
選択的に、本出願の実施例において、前記第１パラメータは、前記端末の識別情報であり、前記第１メッセージで搬送される前記部分的な情報は、前記端末の識別情報での前記端末の非アクセス層（ＮＡＳ）メッセージのターゲットコアネットワーク機器の情報以外の情報である。
【０１７３】
選択的に、本出願の実施例において、前記識別情報に必要な総ビット数は、４８ビットである。
【０１７４】
選択的に、本出願の実施例において、前記第１パラメータは、前記端末の識別情報であり、前記第２メッセージで搬送される前記残りの情報は、前記端末によって送信されるＮＡＳメッセージのターゲットコアネットワーク機器を識別する情報である。
【０１７５】
選択的に、本出願の実施例において、前記第１メッセージは、第２パラメータの情報の一部または全部をさらに含む。
【０１７６】
選択的に、本出願の実施例において、前記第２パラメータは、前記端末がアクセスしたネットワークスライスを指示するパラメータ、または前記ＭＳＧ３で搬送される確立原因値、またはＩ−ＲＮＴＩを含む。
【０１７７】
選択的に、本出願の実施例において、前記確立原因値が占用するビットは、３ビットより大きく、および／または、
前記端末が位置するネットワークスライスを指示するパラメータが占用するビットは、２４ビットである。
【０１７８】
選択的に、本出願の実施例において、前記第１メッセージは、無線リソース制御（ＲＲＣ）接続要求、またはＲＲＣ要求を指示するメッセージである。
【０１７９】
選択的に、本出願の実施例において、前記第２メッセージは、ＲＲＣ接続確立完了、ＲＲＣ接続再開完了、ＲＲＣ確立完了またはＲＲＣ再開完了を指示するメッセージである。
【０１８０】
選択的に、本出願の実施例において、前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器である。
【０１８１】
前記方法４００は、方法３００の説明を参照することができ、簡潔にするために、ここでは繰り返さないことを理解されたい。
【０１８２】
図８は、本出願の実施例の無線通信方法１２００の例示的なフローチャートである。
【０１８３】
図８に示されるように、前記方法１２００は、以下の内容の少なくとも一部を含む。
【０１８４】
１２１０において、ネットワーク機器は、端末によって送信される第１メッセージを受信し、前記第１メッセージは、ランダムアクセスプロセスでのメッセージ３（ＭＳＧ３）である。
【０１８５】
１２２０において、前記ネットワーク機器は、前記第１メッセージに対して前記端末に応答メッセージを送信し、前記応答メッセージは、ランダムアクセスプロセスでのメッセージ４（ＭＳＧ４）である。
【０１８６】
１２３０において、前記ネットワーク機器は、前記端末によって送信される第２メッセージを受信し、ここで、前記第２メッセージは前記端末の識別情報を搬送し、前記第２メッセージは、ランダムアクセスプロセスでのメッセージ５（ＭＳＧ５）である。
【０１８７】
選択的に、本出願の実施例において、前記端末の識別情報は、前記端末のＳ−ＴＭＳＩまたは５Ｇ−Ｓ−ＴＭＳＩである。
【０１８８】
選択的に、本出願の実施例において、前記第１メッセージは乱数を搬送する。
【０１８９】
選択的に、本出願の実施例において、前記乱数が占用するビット数は、前記識別情報が占用するビット数より小さい。
【０１９０】
選択的に、本出願の実施例において、前記第１メッセージは、前記端末がアクセスしたネットワークスライスを指示するパラメータ、または前記ＭＳＧ３で搬送される確立原因値、またはＩ−ＲＮＴＩのうちの少なくとも１つのパラメータを含む。
【０１９１】
選択的に、本出願の実施例において、前記確立原因値が占用するビットは、３ビットより大きく、および／または、
前記端末が位置するネットワークスライスを指示するパラメータが占用するビットは、２４ビットである。
【０１９２】
図９は、本出願の実施例の無線通信方法１３００の例示的なフローチャートである。前記方法１３００は、以下の内容の少なくとも一部を含む。
【０１９３】
１３１０において、ランダムアクセスプロセスでのメッセージ３（ＭＳＧ３）に端末の識別情報を含めることができる場合、前記ＭＳＧ３で前記端末の識別情報を搬送する。
【０１９４】
具体的に、ＭＳＧ３で多くのビットを搬送できる場合、前記端末の識別情報をＭＳＧ３で搬送することができ、ＭＳＧ３での識別情報は、切り捨てられない完全な識別情報である。
【０１９５】
１３２０において、前記端末は、ネットワーク機器に前記識別情報が搬送されるＭＳＧ３を送信する。
【０１９６】
選択的に、本出願の実施例において、前記識別情報は、前記端末の非アクティブな無線ネットワーク一時識別子（Ｉ−ＲＮＴＩ）である。
【０１９７】
具体的に、非アクティブ状態の端末については、非アクティブ状態から他の状態に遷移するとき（例えば、接続状態またはアクティブ状態）、ランダムアクセスプロセスで、前記端末のＩ−ＲＮＴＩをＭＳＧ３で搬送して、前記端末を識別することができる。
【０１９８】
選択的に、本出願の実施例において、前記端末の識別情報は、前記端末の再開識別子（ＲＥＳＵＭＥ  ＩＤ）である。
【０１９９】
具体的に、端末がサスペンド状態にある場合、および再開する必要がある場合、ランダムアクセスプロセスで、前記端末の再開識別子（ＲＥＳＵＭＥ  ＩＤ）をＭＳＧ３で搬送することができる。
【０２００】
選択的に、本出願の実施例において、前記方法１３００は、第１システムで使用され、ここで、前記第１システムのアクセスネットワーク機器は、ロングタームエボリューション（ＬＴＥ）システムのアクセスネットワーク機器であり、前記第１システムのコアネットワーク機器は、５Ｇコアネットワーク（５ＧＣ）機器である。
【０２０１】
選択的に、本出願の実施例において、前記方法が第１システムで使用される場合、前記端末の識別情報の長さは、第２システムのＭＳＧ３で搬送される端末の識別情報の長さより小さい。ここで、前記第２システムのアクセスネットワーク機器は、ニューラジオ（ＮＲ）アクセスネットワーク機器であり、前記第２システムのコアネットワーク機器は、５ＧＣ機器である。
【０２０２】
選択的に、本出願の実施例において、前記識別情報は、アクセスネットワーク機器の第１識別情報および前記端末が前記アクセスネットワーク機器内にあることを指示する第２識別情報を含み、ここで、前記第１識別情報は、ＬＴＥアクセスネットワーク機器の識別情報である。
【０２０３】
選択的に、本出願の実施例において、前記方法が第１システムで使用される場合、前記識別情報が占用するビット数は、５２ビットより小さい。
【０２０４】
ここで、第１システムでは、前記端末の識別情報は４０ビットであり得、ここで、上述した第１識別情報の長さは２０ビットであり得、第２識別情報の長さは２０ビットであり得る。
【０２０５】
選択的に、本出願の実施例において、前記方法１３００は、第２システムで使用され、ここで、前記第２システムのアクセスネットワーク機器は、ニューラジオ（ＮＲ）アクセスネットワーク機器であり、前記第２システムのコアネットワーク機器は、５ＧＣ機器である。
【０２０６】
ここで、前記方法が第２システムで使用される場合、前記端末の識別情報は５２ビットであってもよく、５２ビットより小さくてもよい。
【０２０７】
以上、図９は無線通信方法を提供し、以下は、方法１３００と並列することができる別の無線通信方法を提供する。前記方法は、第１システムで使用され、前記第１システムのアクセスネットワーク機器は、ロングタームエボリューション（ＬＴＥ）システムのアクセスネットワーク機器であり、前記第１システムのコアネットワーク機器は、５Ｇコアネットワーク（５ＧＣ）機器である。
【０２０８】
ここで、端末側では、端末機器はＭＳＧ３をネットワーク機器に送信し、前記ＭＳＧ３は端末の識別情報を含み、前記識別情報の長さは、５２ビットより小さく、または第２システムでのＭＳＧ３で搬送される端末の識別情報の長さより小さい。ここで、前記第２システムのアクセスネットワーク機器は、ニューラジオ（ＮＲ）アクセスネットワーク機器であり、前記第２システムのコアネットワーク機器は、５ＧＣ機器である。端末は、前記ＭＳＧ３に対してネットワーク機器によって送信されるメッセージ４（ＭＳＧ４）を受信する。
【０２０９】
ここで、ネットワーク側では、ネットワーク機器は、端末によって送信されるＭＳＧ３を受信し、前記ＭＳＧ３は端末の識別情報を含み、前記識別情報の長さは、５２ビットより小さく、または第２システムでのＭＳＧ３で搬送される端末の識別情報の長さより小さい。ここで、前記第２システムのアクセスネットワーク機器は、ニューラジオ（ＮＲ）アクセスネットワーク機器であり、前記第２システムのコアネットワーク機器は、５ＧＣ機器である。ネットワーク機器は、前記ＭＳＧ３に対して端末にメッセージ４（ＭＳＧ４）を送信する。
【０２１０】
選択的に、本出願の実施例において、前記識別情報は、前記端末の非アクティブな無線ネットワーク一時識別子（Ｉ−ＲＮＴＩ）である。
【０２１１】
具体的に、非アクティブ状態の端末については、非アクティブ状態から他の状態に遷移するとき（例えば、接続状態またはアクティブ状態）、ランダムアクセスプロセスで、前記端末のＩ−ＲＮＴＩをＭＳＧ３で搬送して、前記端末を識別することができる。
【０２１２】
選択的に、本出願の実施例において、前記端末の識別情報は、前記端末の再開識別子（ＲＥＳＵＭＥ  ＩＤ）である。
【０２１３】
具体的に、端末がサスペンド状態にある場合、および再開する必要がある場合、ランダムアクセスプロセスで、前記端末の再開識別子（ＲＥＳＵＭＥ  ＩＤ）をＭＳＧ３で搬送することができる。
【０２１４】
選択的に、本出願の実施例において、前記識別情報は、アクセスネットワーク機器の第１識別情報および前記端末が前記アクセスネットワーク機器内にあることを指示する第２識別情報を含み、ここで、前記第１識別情報は、ＬＴＥアクセスネットワーク機器の識別情報である。
【０２１５】
ここで、第１システムでは、前記端末の識別情報は４０ビットであり得、ここで、上述した第１識別情報の長さは２０ビットであり得、第２識別情報の長さは２０ビットであり得る。
【０２１６】
したがって、本出願の実施例において、アクセスネットワーク機器がロングタームエボリューション（ＬＴＥ）のアクセスネットワーク機器であり、コアネットワーク機器が５Ｇコアネットワーク（５ＧＣ）機器である場合、ＭＳＧ３で搬送される端末の識別情報は、５２ビットより小さく、または第２システムでのＭＳＧ３で搬送される端末の識別情報の長さより小さい。ここで、前記第２システムのアクセスネットワーク機器は、ニューラジオ（ＮＲ）アクセスネットワーク機器であり、前記第２システムのコアネットワーク機器は、５ＧＣ機器である。端末は、前記ＭＳＧ３に対してネットワーク機器によって送信されるメッセージ４（ＭＳＧ４）を受信するため、ＭＳＧ３ので搬送されるビット数を減らすことができる。
【０２１７】
図１０は、本出願の実施例の端末５００の例示的なブロック図である。図１０に示されるように、前記端末５００は、処理ユニット５１０およびトランシーバユニット５２０を含む。
【０２１８】
選択的に、前記処理ユニット５１０は、第１メッセージを生成するように構成され、前記第１メッセージは、ランダムアクセスプロセスでのメッセージ３（ＭＳＧ３）であり、ここで、前記第１メッセージは第１パラメータの部分的な情報を搬送する。
【０２１９】
前記トランシーバユニット５２０は、ネットワーク機器に第１メッセージを送信するように構成され、前記第１メッセージは、ランダムアクセスプロセスでのメッセージ３（ＭＳＧ３）であり、前記第１メッセージは第１パラメータの部分的な情報を搬送し、および前記第１メッセージに対して前記ネットワーク機器によって送信される応答メッセージを受信するように構成され、前記応答メッセージは、ランダムアクセスプロセスでのメッセージ４（ＭＳＧ４）である。
【０２２０】
選択的に、本出願の実施例において、前記トランシーバユニット５２０は、
前記ネットワーク機器に第２メッセージを送信するように構成され、ここで、前記第２メッセージは前記第１パラメータの前記部分的な情報以外の残りの情報を搬送する。
【０２２１】
選択的に、本出願の実施例において、前記第２メッセージは、ランダムアクセスプロセスでのメッセージ５（ＭＳＧ５）である。
【０２２２】
選択的に、本出願の実施例において、前記第１パラメータは、
前記端末の識別情報であり、または前記端末が位置するネットワークスライスを指示するパラメータであり、またはＭＳＧ３で搬送される確立原因値であり、または非アクティブな無線ネットワーク一時識別子（Ｉ−ＲＮＴＩ）である。
【０２２３】
選択的に、本出願の実施例において、前記識別情報は、前記端末のＳ−ＴＭＳＩまたは５Ｇ−Ｓ−ＴＭＳＩである。
【０２２４】
選択的に、本出願の実施例において、前記第１パラメータは、前記端末の識別情報であり、前記処理ユニット５１０は、さらに、
前記応答メッセージで搬送される前記識別情報の前記部分的な情報に従って、前記応答メッセージは前記端末に対して送信される前記第１メッセージであると決定するように構成される。
【０２２５】
選択的に、本出願の実施例において、前記第１パラメータは、前記端末の識別情報であり、前記第１メッセージで搬送される前記部分的な情報は、前記端末の識別情報での前記端末の非アクセス層（ＮＡＳ）メッセージのターゲットコアネットワーク機器の情報以外の情報である。
【０２２６】
選択的に、本出願の実施例において、前記識別情報に必要な総ビット数は、４８ビットである。
【０２２７】
選択的に、本出願の実施例において、前記第１パラメータは、前記端末の識別情報であり、前記第２メッセージで搬送される前記残りの情報は、前記端末によって送信されるＮＡＳメッセージのターゲットコアネットワーク機器を識別する情報である。
【０２２８】
選択的に、本出願の実施例において、前記第１メッセージは、第２パラメータの情報の一部または全部をさらに含む。
【０２２９】
選択的に、本出願の実施例において、前記第２パラメータは、前記端末がアクセスしたネットワークスライスを指示するパラメータ、または前記ＭＳＧ３で搬送される確立原因値、またはＩ−ＲＮＴＩを含む。
【０２３０】
選択的に、本出願の実施例において、前記確立原因値が占用するビットは、３ビットより大きく、および／または、
前記端末が位置するネットワークスライスを指示するパラメータが占用するビットは、２４ビットである。
【０２３１】
選択的に、本出願の実施例において、前記第１メッセージは、無線リソース制御（ＲＲＣ）接続要求、またはＲＲＣ要求を指示するメッセージである。
【０２３２】
選択的に、本出願の実施例において、前記第２メッセージは、ＲＲＣ接続確立完了、ＲＲＣ接続再開完了、ＲＲＣ確立完了またはＲＲＣ再開完了を指示するメッセージである。
【０２３３】
選択的に、本出願の実施例において、前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器である。
【０２３４】
前記端末は、方法３００で端末によって実現される、対応する動作を実現することができ、簡潔にするために、ここでは繰り返さないことを理解されたい。
【０２３５】
選択的に、本出願の実施例の端末５００は、方法１０００で端末によって実現される動作を実現することもできる。
【０２３６】
選択的に、本出願の実施例において、前記処理ユニット５１０は、第１メッセージを生成するように構成され、前記第１メッセージは、ランダムアクセスプロセスでのメッセージ３（ＭＳＧ３）であり、
前記トランシーバユニット５２０は、前記第１メッセージを送信し、および前記第１メッセージに対してネットワーク機器によって送信される応答メッセージを受信するように構成され、前記応答メッセージは、ランダムアクセスプロセスでのメッセージ４（ＭＳＧ４）であり、
前記処理ユニット５１０は、さらに、第２メッセージを生成するように構成され、前記第２メッセージは前記端末の識別情報を搬送し、前記第２メッセージは、ランダムアクセスプロセスでのメッセージ５（ＭＳＧ５）であり、
前記トランシーバユニット５２０は、さらに、前記ネットワーク機器に第２メッセージを送信するように構成され、前記第２メッセージは前記端末の識別情報を搬送し、前記第２メッセージは、ランダムアクセスプロセスでのメッセージ５（ＭＳＧ５）である。
【０２３７】
選択的に、本出願の実施例において、前記端末の識別情報は、前記端末のＳ−ＴＭＳＩまたは５Ｇ−Ｓ−ＴＭＳＩである。
【０２３８】
選択的に、本出願の実施例において、前記第１メッセージは乱数を搬送する。
【０２３９】
選択的に、本出願の実施例において、前記乱数が占用するビット数は、前記識別情報が占用するビット数より小さい。
【０２４０】
選択的に、本出願の実施例において、前記第１メッセージを送信する前に、前記識別情報が前記端末に記憶される。
【０２４１】
選択的に、本出願の実施例において、前記第１メッセージは、前記端末がアクセスしたネットワークスライスを指示するパラメータ、または前記ＭＳＧ３で搬送される確立原因値、またはＩ−ＲＮＴＩのうちの少なくとも１つのパラメータを含む。
【０２４２】
選択的に、本出願の実施例において、前記確立原因値が占用するビットは、３ビットより大きく、および／または、
前記端末が位置するネットワークスライスを指示するパラメータが占用するビットは、２４ビットである。
【０２４３】
選択的に、本出願の実施例の端末５００は、方法１３００で端末によって実現される動作を実現することもできる。
【０２４４】
選択的に、前記処理ユニット５１０は、ランダムアクセスプロセスでのメッセージ３（ＭＳＧ３）に端末の識別情報を含めることができる場合、前記ＭＳＧ３で前記端末の識別情報を搬送するように構成され、
前記トランシーバユニット５２０は、前記識別情報が搬送されるＭＳＧ３をネットワーク機器に送信するように構成される。
【０２４５】
選択的に、前記識別情報は、前記端末の非アクティブな無線ネットワーク一時識別子（Ｉ−ＲＮＴＩ）である。
【０２４６】
選択的に、前記識別情報は、前記端末の再開識別子（ＲＥＳＵＭＥ  ＩＤ）である。
【０２４７】
選択的に、前記端末は、第１システムで使用されるように構成され、ここで、前記第１システムのアクセスネットワーク機器は、ロングタームエボリューション（ＬＴＥ）システムのアクセスネットワーク機器であり、前記第１システムのコアネットワーク機器は、５Ｇコアネットワーク（５ＧＣ）機器である。
【０２４８】
選択的に、前記端末の識別情報の長さは、第２システムのＭＳＧ３で搬送される端末の識別情報の長さより短く、前記第２システムのアクセスネットワーク機器は、ニューラジオ（ＮＲ）アクセスネットワーク機器であり、前記第２システムのコアネットワーク機器は、５ＧＣ機器である。
【０２４９】
選択的に、前記識別情報は、アクセスネットワーク機器の第１識別情報および前記端末が前記アクセスネットワーク機器内にあることを指示する第２識別情報を含み、前記第１識別情報は、ＬＴＥアクセスネットワーク機器の識別情報である。
【０２５０】
選択的に、前記識別情報が占用するビット数は、５２ビットより小さい。
【０２５１】
選択的に、前記端末は、第２システムで使用されるように構成され、ここで、前記第２システムのアクセスネットワーク機器は、ニューラジオ（ＮＲ）アクセスネットワーク機器であり、前記第２システムのコアネットワーク機器は、５ＧＣ機器である。
【０２５２】
図１１は、本出願の実施例のネットワーク機器６００の例示的なブロック図である。図１１に示されるように、前記ネットワーク機器６００は、トランシーバユニット６１０および処理ユニット６２０を含む。
【０２５３】
前記トランシーバユニット６１０は、端末によって送信される第１メッセージを受信するように構成され、前記第１メッセージは、ランダムアクセスプロセスでのメッセージ３（ＭＳＧ３）であり、前記第１メッセージは第１パラメータの部分的な情報を搬送し、
前記処理ユニット６２０は、前記第１メッセージに対して応答メッセージを生成するように構成され、前記応答メッセージは、ランダムアクセスプロセスでのメッセージ４（ＭＳＧ４）であり、
前記トランシーバユニット６１０は、さらに、前記端末に前記応答メッセージを送信するように構成される。
【０２５４】
選択的に、本出願の実施例において、前記トランシーバユニット６１０は、さらに、
前記端末によって送信される第２メッセージを受信するように構成され、前記第２メッセージは前記第１パラメータの前記部分的な情報以外の残りの情報を搬送する。
【０２５５】
選択的に、本出願の実施例において、前記第２メッセージは、ランダムアクセスプロセスでのメッセージ５（ＭＳＧ５）である。
【０２５６】
選択的に、本出願の実施例において、前記第１パラメータは、
前記端末の識別情報であり、または前記端末が位置するネットワークスライスを指示するパラメータであり、またはＭＳＧ３で搬送される確立原因値であり、または非アクティブな無線ネットワーク一時識別子（Ｉ−ＲＮＴＩ）である。
【０２５７】
選択的に、本出願の実施例において、前記識別情報は、前記端末のＳ−ＴＭＳＩまたは５Ｇ−Ｓ−ＴＭＳＩである。
【０２５８】
選択的に、本出願の実施例において、前記第１パラメータは、前記端末の識別情報であり、前記識別情報の前記部分的な情報が前記応答メッセージで搬送される。
【０２５９】
選択的に、本出願の実施例において、前記第１パラメータは、前記端末の識別情報であり、前記第１メッセージで搬送される前記部分的な情報は、前記端末の識別情報での前記端末の非アクセス層（ＮＡＳ）メッセージのターゲットコアネットワーク機器の情報以外の情報である。
【０２６０】
選択的に、本出願の実施例において、前記識別情報に必要な総ビット数は、４８ビットである。
【０２６１】
選択的に、本出願の実施例において、前記第１パラメータは、前記端末の識別情報であり、前記第２メッセージで搬送される前記残りの情報は、前記端末によって送信されるＮＡＳメッセージのターゲットコアネットワーク機器を識別する情報である。
【０２６２】
選択的に、本出願の実施例において、前記第１メッセージは、第２パラメータの情報の一部または全部をさらに含む。
【０２６３】
選択的に、本出願の実施例において、前記第２パラメータは、前記端末がアクセスしたネットワークスライスを指示するパラメータ、または前記ＭＳＧ３で搬送される確立原因値、またはＩ−ＲＮＴＩを含む。
【０２６４】
選択的に、本出願の実施例において、前記確立原因値が占用するビットは、３ビットより大きく、および／または、
前記端末が位置するネットワークスライスを指示するパラメータが占用するビットは、２４ビットである。
【０２６５】
選択的に、本出願の実施例において、前記第１メッセージは、無線リソース制御（ＲＲＣ）接続要求、またはＲＲＣ要求を指示するメッセージである。
【０２６６】
選択的に、本出願の実施例において、前記第２メッセージは、ＲＲＣ接続確立完了、ＲＲＣ接続再開完了、ＲＲＣ確立完了またはＲＲＣ再開完了を指示するメッセージである。
【０２６７】
選択的に、本出願の実施例において、前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器である。
【０２６８】
前記ネットワーク機器は、方法４００でネットワーク機器によって実現される、対応する動作を実現することができ、簡潔にするために、ここでは繰り返さないことを理解されたい。
【０２６９】
選択的に、本出願の実施例のネットワーク機器６００は、方法１２００でネットワーク機器によって実現される動作を実現することもできる。
【０２７０】
選択的に、本出願の実施例において、前記トランシーバユニット６１０は、端末によって送信される第１メッセージを受信するように構成され、前記第１メッセージは、ランダムアクセスプロセスでのメッセージ３（ＭＳＧ３）であり、
前記処理ユニット６２０は、前記第１メッセージに対して応答メッセージを生成するように構成され、前記応答メッセージは、ランダムアクセスプロセスでのメッセージ４（ＭＳＧ４）であり、
前記トランシーバユニット６１０は、さらに、前記端末に前記応答メッセージを送信し、および前記端末によって送信される第２メッセージを受信するように構成され、前記第２メッセージは前記端末の識別情報を搬送し、前記第２メッセージは、ランダムアクセスプロセスでのメッセージ５（ＭＳＧ５）である。
【０２７１】
選択的に、本出願の実施例において、前記端末の識別情報は、前記端末のＳ−ＴＭＳＩまたは５Ｇ−Ｓ−ＴＭＳＩである。
【０２７２】
選択的に、本出願の実施例において、前記第１メッセージは乱数を搬送する。
【０２７３】
選択的に、本出願の実施例において、前記乱数が占用するビット数は、前記識別情報が占用するビット数より小さい。
【０２７４】
選択的に、本出願の実施例において、前記第１メッセージは、前記端末がアクセスしたネットワークスライスを指示するパラメータ、または前記ＭＳＧ３で搬送される確立原因値、またはＩ−ＲＮＴＩのうちの少なくとも１つのパラメータを含む。
【０２７５】
選択的に、本出願の実施例において、前記確立原因値が占用するビットは、３ビットより大きく、および／または、
前記端末が位置するネットワークスライスを指示するパラメータが占用するビットは、２４ビットである。
【０２７６】
図１２は、本出願の実施例のシステムチップ７００の一例示的なブロック図である。図１２のシステムチップ７００は、入力インタフェース７０１、出力インタフェース７０２、プロセッサ７０３およびメモリ７０４を含み、前記プロセッサ７０３および前記メモリ７０４は、内部通信接続パスを介して接続されてもよく、前記プロセッサ７０３は、前記メモリ７０４内のコードを実行するように構成される。
【０２７７】
選択的に、前記コードが実行されると、前記プロセッサ７０３は、方法実施例でネットワーク機器によって実行される方法を実現する。簡潔にするために、ここでは繰り返さない。
【０２７８】
選択的に、前記コードが実行されると、前記プロセッサ７０３は、方法実施例で端末によって実行される方法を実現する。簡潔にするために、ここでは繰り返さない。
【０２７９】
図１３は、本出願の実施例の通信機器８００の例示的なブロック図である。図１３に示されるように、前記通信機器８００は、プロセッサ８１０およびメモリ８２０を含む。ここで、前記メモリ８２０は、プログラムコード記憶することができ、前記プロセッサ８１０は、前記メモリ８２０に記憶されるプログラムコードを実行することができる。
【０２８０】
選択的に、図１３に示されるように、前記通信機器８００は、トランシーバ８３０を含むことができ、前記プロセッサ８１０は、前記トランシーバ８３０と外部との通信を制御することができる。
【０２８１】
選択的に、前記プロセッサ８１０は、前記メモリ８２０に記憶されたプログラムコードを呼び出して、方法実施例でのネットワーク機器の対応する動作を実行することができ、簡潔にするために、ここでは繰り返さない。
【０２８２】
選択的に、前記プロセッサ８１０は、前記メモリ８２０に記憶されたプログラムコードを呼び出して、方法実施例での端末の対応する動作を実行することができ、簡潔にするために、ここでは繰り返さない。
【０２８３】
図１４は、本出願の実施例の通信システム１４００の例示的なブロック図である。図１４に示されるように、前記通信システム１４００は、端末１４１０およびネットワーク機器１４２０を含む。
【０２８４】
ここで、前記端末１４１０は、上記の方法３００で端末によって実現される、対応する機能を実現するために使用されることができ、および前記ネットワーク機器１４２０は、上記の方法４００でネットワーク機器によって実現される、対応する機能を実現するために使用されることができる。
【０２８５】
あるいは、前記端末１４１０は、上記の方法１０００で端末によって実現される、対応する機能を実現するために使用されることができ、および前記ネットワーク機器１４２０は、上記の方法１２００でネットワーク機器によって実現される、対応する機能を実現するために使用されることができ、簡潔にするために、ここでは繰り返さない。
【０２８６】
ここで、前記端末１４１０の構成は、図１０の端末５００または図１３の通信機器８００に示されるようなものであり得て、簡潔にするために、ここでは繰り返さない。および、前記ネットワーク機器１４２０の構成は、図１１のネットワーク機器６００または図１３の通信機器８００に示されるようなものであり得る。簡潔にするために、ここでは繰り返さない。
【０２８７】
本出願の実施例におけるプロセッサは、信号処理能力を備えた集積回路チップであり得ることを理解されたい。実現プロセスにおいて、上記の方法実施例の各ステップは、プロセッサ内のハードウェアの集積論理回路またはソフトウェアの形の命令によって完了することができる。上記のプロセッサは、汎用プロセッサ、デジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）または他のプログラマブルロジックデバイス、ディスクリートゲートまたはトランジスタロジックデバイス、ディスクリートハードウェアコンポーネントなどであってもよい。本出願の実施例で開示された各方法、ステップ、および論理ブロック図を実現または実行できる。汎用プロセッサはマイクロプロセッサであってもよく、または前記プロセッサは任意の従来のプロセッサなどであってもよい。本出願の実施例と組み合わせて開示される方法のステップは、ハードウェア復号化プロセッサに直接に具現されて実行し、それにより完了されてもよく、または復号化プロセッサ中のハードウェアおよびソフトウェアモジュールの組み合わせによって実行して完了されてもよい。ソフトウェアモジュールは、ランダムメモリ、フラッシュメモリ、読み取り専用メモリ、プログラム可能な読み取り専用メモリまたは電気的に消去可能なプログラマブルメモリ、レジスタ等の当技術分野の熟知する記憶媒体に配置されてもよい。前記記憶媒体はメモリ内に配置され、プロセッサはメモリ内の情報を読み取り、そのハードウェアと組み合わせて前記方法のステップを完了する。
【０２８８】
理解できることは、本出願の実施例におけるメモリは、揮発性メモリまたは不揮発性メモリであってもよく、または揮発性と不揮発性メモリの両方を含んでもよい。ここで、不揮発性メモリは、読み取り専用メモリ（ＲＯＭ：ｒｅａｄ−ｏｎｌｙ  ｍｅｍｏｒｙ）、プログラム可能な読み取り専用メモリ（ＰＲＯＭ：ｐｒｏｇｒａｍｍａｂｌｅ  ＲＯＭ）、消去可能なプログラム可能な読み取り専用メモリ（ＥＰＲＯＭ：ｅｒａｓａｂｌｅ  ＰＲＯＭ）、電気的に消去可能なプログラム可能な読み取り専用メモリ（ＥＥＰＲＯＭ：ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：ｒａｎｄｏｍ  ａｃｃｅｓｓ  ｍｅｍｏｒｙ）であってもよい。前記メモリは、例示的であるが制限的な説明ではなく、例えば、本出願の実施例におけるメモリは、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）等であってもよい。本明細書で説明されるシステムおよび方法のメモリは、これらおよび任意の他の適切なタイプのメモリを含むことが意図されているが、これらに限定されないことに留意されたい。
【０２８９】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることを理解するであろう。これらの機能がハードウェアの形態で実行されるかソフトウェアの形で実行されるかは、技術的解決策の特定のアプリケーションと設計上の制約条件に依存する。専門技術者は、特定のアプリケーションごとに対して、異なる方法を使用して説明された機能を実現することができるが、このような実現は本出願の実施例の範囲を超えると見なされるべきではない。
【０２９０】
説明の便宜上および簡潔にするために、上記に説明されたシステム、装置およびユニットの具体的な作業プロセスは、前述の方法実施例中の対応するプロセスを参照することができ、ここでは繰り返さないことを当業者は明確に理解することができる。
【０２９１】
本出願で提供されるいくつかの実施例では、開示されたシステム、装置および方法は、他の方法で実現されることができることを理解されたい。例えば、上記で説明された装置実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことが可能である。なお、表示または議論された相互結合または直接結合または通信接続は、電気的、機械的または他の形態の一部のインターフェース、装置またはユニットを介した関節結合または通信接続であり得る。
【０２９２】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際の必要に応じて、その中の一部または全部ユニットを選択して本出願の実施例の目的を実現することができる。
【０２９３】
なお、本出願の実施例における各機能ユニットは１つの処理ユニットに統合されてもよく、または各ユニットが物理的に別々に存在してもよく、２つまたは２つ以上のユニットを１つのユニットに統合してもよい。
【０２９４】
前記機能がソフトウェア機能ユニットの形で実現され、独立した製品として販売または使用される場合、コンピュータ読み取り可能な記憶媒体に記憶することができる。このような理解に基づいて、本出願の実施例の技術的解決策は、本質的にまたは先行技術に対して寄与する部分または前記技術的解決策の一部は、ソフトウェア製品の形で具現されることができ、前記コンピュータソフトウェア製品は、１つの記憶媒体に記憶され、コンピュータ機器（パーソナルコンピュータ、サーバ、またはネットワーク機器等であり得る）に本出願の実施例に記載の方法の全部または一部のステップを実行させるためのいくつかの命令を含む。前述した記憶媒体は、Ｕディスク、モバイルハードディスク、読み取り専用メモリ、ランダムアクセスメモリ、磁気ディスクまたは光ディスク等のプログラムコードを記憶することができる様々な媒体を含む。
【０２９５】
上記の内容は、本出願の実施例の具体的な実施形態に過ぎないが、本出願の実施例の保護範囲はこれに限定されず、当業者は、本出願の実施例に開示された技術的範囲内で容易に想到し得る変更または置換は、すべて本出願の実施例の保護範囲内に含まれるべきである。したがって、本出願の実施例の保護範囲は、特許請求の範囲の保護範囲に従うものとする。
【図１】
2021528876.tif 000003
【図２】
2021528876.tif 000004
【図３】
2021528876.tif 000005
【図４】
2021528876.tif 000006
【図５】
2021528876.tif 000007
【図６】
2021528876.tif 000008
【図７】
2021528876.tif 000009
【図８】
2021528876.tif 000010
【図９】
2021528876.tif 000011
【図１０】
2021528876.tif 000012
【図１１】
2021528876.tif 000013
【図１２】
2021528876.tif 000014
【図１３】
2021528876.tif 000015
【図１４】
2021528876.tif 000016
【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
無線通信方法であって、
端末が、ネットワーク機器に第１メッセージを送信することであって、前記第１メッセージは、ランダムアクセスプロセスでのメッセージ３（ＭＳＧ３）であり、前記第１メッセージは第１パラメータの部分的な情報を搬送することと、
前記端末が、前記第１メッセージに対して前記ネットワーク機器によって送信される応答メッセージを受信することであって、前記応答メッセージは、ランダムアクセスプロセスでのメッセージ４（ＭＳＧ４）であることとを含むことを特徴とする、前記無線通信方法。
【請求項２】
前記方法は、
前記端末が、前記ネットワーク機器に第２メッセージを送信することであって、前記第２メッセージは前記第１パラメータの前記部分的な情報以外の残りの情報を搬送することをさらに含むことを特徴とする、
請求項１に記載の無線通信方法。
【請求項３】
前記第２メッセージは、ランダムアクセスプロセスでのメッセージ５（ＭＳＧ５）であることを特徴とする、
請求項２に記載の無線通信方法。
【請求項４】
前記第１パラメータは、
前記端末の識別情報であり、または前記端末が位置するネットワークスライスを指示するパラメータであり、またはＭＳＧ３で搬送される確立原因値であり、または非アクティブな無線ネットワーク一時識別子（Ｉ−ＲＮＴＩ）であることを特徴とする、
請求項１ないし３のいずれか一項に記載の無線通信方法。
【請求項５】
前記第１メッセージで搬送される前記第１パラメータの部分的な情報は、４０ビットであることを特徴とする、
請求項１ないし３のいずれか一項に記載の無線通信方法。
【請求項６】
前記第２メッセージで搬送される前記第１パラメータの前記部分的な情報以外の残りの情報は、８ビットであることを特徴とする、
請求項２ないし４のいずれか一項に記載の無線通信方法。
【請求項７】
前記識別情報は、前記端末のシステムアーキテクチャエボリューション一時移動加入者識別子（Ｓ−ＴＭＳＩ）または５Ｇ−Ｓ−ＴＭＳＩであることを特徴とする、
請求項４に記載の無線通信方法。
【請求項８】
前記第１メッセージは、無線リソース制御（ＲＲＣ）接続要求、またはＲＲＣ要求を指示するメッセージであることを特徴とする、
請求項１ないし７のいずれか一項に記載の無線通信方法。
【請求項９】
前記第２メッセージは、ＲＲＣ接続確立完了、ＲＲＣ接続再開完了、ＲＲＣ確立完了またはＲＲＣ再開完了を指示するメッセージであることを特徴とする、
請求項２または３に記載の無線通信方法。
【請求項１０】
前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器であることを特徴とする、
請求項１ないし９のいずれか一項に記載の無線通信方法。
【請求項１１】
無線通信方法であって、
ネットワーク機器が、端末によって送信される第１メッセージを受信することであって、前記第１メッセージは、ランダムアクセスプロセスでのメッセージ３（ＭＳＧ３）であり、前記第１メッセージは第１パラメータの部分的な情報を搬送することと、
前記第１メッセージに対して、前記ネットワーク機器が、前記端末に応答メッセージを送信することであって、前記応答メッセージは、ランダムアクセスプロセスでのメッセージ４（ＭＳＧ４）であることとを含むことを特徴とする、前記無線通信方法。
【請求項１２】
前記方法は、
前記ネットワーク機器が、前記端末によって送信される第２メッセージを受信することであって、前記第２メッセージは前記第１パラメータの前記部分的な情報以外の残りの情報を搬送することをさらに含むことを特徴とする、
請求項１１に記載の無線通信方法。
【請求項１３】
前記第２メッセージは、ランダムアクセスプロセスでのメッセージ５（ＭＳＧ５）であることを特徴とする、
請求項１２に記載の無線通信方法。
【請求項１４】
前記第１パラメータは、
前記端末の識別情報であり、または前記端末が位置するネットワークスライスを指示するパラメータであり、またはＭＳＧ３で搬送される確立原因値であり、または非アクティブな無線ネットワーク一時識別子（Ｉ−ＲＮＴＩ）であることを特徴とする、
請求項１１ないし１３のいずれか一項に記載の無線通信方法。
【請求項１５】
前記第１メッセージで搬送される前記第１パラメータの部分的な情報は、４０ビットであることを特徴とする、
請求項１１ないし１３のいずれか一項に記載の無線通信方法。
【請求項１６】
前記第２メッセージで搬送される前記第１パラメータの前記部分的な情報以外の残りの情報は、８ビットであることを特徴とする、
請求項１２ないし１４のいずれか一項に記載の無線通信方法。
【請求項１７】
前記識別情報は、前記端末のシステムアーキテクチャエボリューション一時移動加入者識別子（Ｓ−ＴＭＳＩ）または５Ｇ−Ｓ−ＴＭＳＩであることを特徴とする、
請求項１４に記載の無線通信方法。
【請求項１８】
前記第１メッセージは、無線リソース制御（ＲＲＣ）接続要求、またはＲＲＣ要求を指示するメッセージであることを特徴とする、
請求項１１ないし１７のいずれか一項に記載の無線通信方法。
【請求項１９】
前記第２メッセージは、ＲＲＣ接続確立完了、ＲＲＣ接続再開完了、ＲＲＣ確立完了またはＲＲＣ再開完了を指示するメッセージであることを特徴とする、
請求項１２または１３に記載の無線通信方法。
【請求項２０】
前記端末が現在アクセスしたアクセスネットワーク機器は、ロングタームエボリューション（ＬＴＥ）システムのアクセスネットワーク機器であり、および現在アクセスしたコアネットワーク機器は、５Ｇシステムのコアネットワーク機器であることを特徴とする、
請求項１１ないし１９のいずれか一項に記載の無線通信方法。
【請求項２１】
端末であって、
請求項１ないし１０のいずれか一項に記載の無線通信方法の動作を実施するように構成されることを特徴とする、前記端末。
【請求項２２】
ネットワーク機器であって、
請求項１１ないし２０のいずれか一項に記載の無線通信方法の動作を実施するように構成されることを特徴とする、前記ネットワーク機器。
【国際調査報告】
2021528876.tif 000017
2021528876.tif 000018
2021528876.tif 000019
2021528876.tif 000020
2021528876.tif 000021
2021528876.tif 000022